(57)【要約】【課題】プレビュー後の再設定操作において高い操作性を得ることが可能な画像形成装置を提供する。【解決手段】画像形成装置は、プレビュー表示領域Ｒ１と再設定項目表示領域Ｒ２とを有する画面ＧＢを表示する。プレビュー表示領域Ｒ１は、印刷処理の対象画像に関する印刷出力状態を示すプレビュー画像ＰＶの表示領域であり、再設定項目表示領域Ｒ２は、印刷処理に関する再設定用の設定項目（しおり項目）ＢＴ４１，ＢＴ４２を含むメニュー画像ＭＮの表示領域である。また、画像形成装置は、メニュー画像ＭＮ内の再設定用の設定項目に関する設定変更入力を受け付ける。さらに、画像形成装置は、しおり項目に関して受け付けられた設定変更後の設定内容に基づいてプレビュー画像ＰＶを再生成し、再生成されたプレビュー画像ＰＶをプレビュー表示領域Ｒ１に表示する。【選択図】図７
2011234264.tif 000002
【特許請求の範囲】
【請求項１】
画像形成装置であって、
印刷処理の対象画像に関する印刷出力状態を示すプレビュー画像を生成する生成手段と、
前記プレビュー画像の表示領域であるプレビュー表示領域と前記印刷処理に関する再設定用の設定項目を含むメニュー画像の表示領域である再設定項目表示領域とを有する画面を表示するとともに、前記メニュー画像内の前記再設定用の設定項目に関する設定変更入力を受け付ける入出力手段と、
を備え、
前記生成手段は、前記再設定用の設定項目に関して受け付けられた設定変更後の設定内容に基づいて前記プレビュー画像を再生成し、
前記入出力手段は、再生成された前記プレビュー画像を前記プレビュー表示領域に表示することを特徴とする画像形成装置。
【請求項２】
請求項１に記載の画像形成装置において、
前記画像形成装置による自動設定動作においてその設定内容が自動決定された設定項目を前記再設定用の設定項目として登録する登録手段、
をさらに備えることを特徴とする画像形成装置。
【請求項３】
請求項１に記載の画像形成装置において、
前記再設定用の設定項目をジョブごとに登録する登録手段、
をさらに備えることを特徴とする画像形成装置。
【請求項４】
請求項３に記載の画像形成装置において、
前記登録手段は、処理対象ジョブに関するモード設定操作においてモード設定された設定項目を前記再設定用の設定項目として登録することを特徴とする画像形成装置。
【請求項５】
請求項４に記載の画像形成装置において、
前記登録手段は、前記再設定用の設定項目として選択された複数の設定項目のうち、一の設定項目をモード設定するとともに前記再設定用の設定項目として登録し、前記一の設定項目と競合する他の設定項目をモード設定することなく前記再設定の対象項目として登録することを特徴とする画像形成装置。
【請求項６】
請求項５に記載の画像形成装置において、
前記表示手段は、前記再設定用の設定項目として登録されている前記複数の設定項目のうち、モード設定されている前記一の設定項目とモード設定されていない前記他の設定項目とを区別して表示することを特徴とする画像形成装置。
【請求項７】
請求項１に記載の画像形成装置において、
前記再設定用の設定項目は、処理対象ジョブの開始前において予め登録されることを特徴とする画像形成装置。
【請求項８】
請求項７に記載の画像形成装置において、
前記再設定用の設定項目は、管理者の指示入力に応じて前記処理対象ジョブの開始前に予め登録されることを特徴とする画像形成装置。
【請求項９】
請求項７に記載の画像形成装置において、
前記再設定用の設定項目は、ユーザごとに決定されて予め登録されることを特徴とする画像形成装置。
【請求項１０】
請求項１に記載の画像形成装置において、
ジョブごとに登録された前記再設定用の設定項目の登録履歴情報を格納する格納手段、
をさらに備え、
前記入出力手段は、前記登録履歴情報に含まれる複数のジョブの履歴情報を履歴情報表示画面に表示して、前記複数のジョブのうち参照すべきジョブである参照ジョブの指定入力を受け付け、当該指定された参照ジョブにて登録されていた前記再設定用の設定項目を前記メニュー画像内に表示することを特徴とする画像形成装置。
【請求項１１】
請求項１に記載の画像形成装置において、
前記再設定用の設定項目を予想使用頻度に応じて分類して登録する登録手段、
をさらに備え、
前記表示手段は、前記メニュー画像内にて前記再設定用の複数の設定項目を予想使用頻度に応じて分類して表示することを特徴とする画像形成装置。
【請求項１２】
請求項１に記載の画像形成装置において、
省資源化に寄与する設定項目である特定の設定項目を前記再設定用の設定項目として登録する登録手段、
をさらに備えることを特徴とする画像形成装置。  
【請求項１３】
請求項１２に記載の画像形成装置において、
前記登録手段は、ユーザによる所定の操作入力に応答して、前記特定の設定項目を前記再設定用の設定項目として登録することを特徴とする画像形成装置。  
【請求項１４】
請求項１に記載の画像形成装置において、
前記入出力手段は、前記再設定用の設定項目に関する複数の詳細設定項目を含む前記メニュー画像を表示するとともに、前記メニュー画像内の前記複数の詳細設定項目に関する１又は２以上の変更入力を受け付け、前記１又は２以上の変更入力に応じて、対応部分が更新された前記プレビュー画像を更新表示することを特徴とする画像形成装置。
【請求項１５】
請求項１に記載の画像形成装置において、
前記再設定用の設定項目として複数の設定項目を登録する登録手段と、
前記複数の設定項目に関する使用情報を格納する格納手段と、
を備え、
前記登録手段は、前記使用情報に基づき前記複数の設定項目のうち所定条件を満たし不要であると判定されるものを前記メニュー画像内での表示対象項目から除外することを特徴とする画像形成装置。
【発明の詳細な説明】
【技術分野】
【０００１】
本発明は、ＭＦＰ（マルチ・ファンクション・ペリフェラル）などの画像形成装置に関する。
【背景技術】
【０００２】
ＭＦＰなどの画像形成装置において、画像データを印刷出力する前にプレビューする技術が存在する。
【０００３】
たとえば、特許文献１には、試し印刷の前に画像データをプレビューする技術が記載されている。詳細には、特許文献１の技術においては、画像データに基づいて生成されたプレビュー用画像（プレビュー表示画面）が、画像形成装置の表示部（タッチパネル）に表示され、当該プレビュー用画像による印刷出力前の確認が行われる。
【先行技術文献】
【特許文献】
【０００４】
【特許文献１】特開２０１０−３４８４４号公報
【発明の概要】
【発明が解決しようとする課題】
【０００５】
ところで、プレビュー中の画像データに関しては、そのプレビュー画像を確認した結果、設定変更を行うことが求められることがある。そのため、当該画像データの印刷出力に関する再設定操作を行うことが可能であることが好ましい。
【０００６】
たとえば、特許文献１に記載の技術において、プレビュー中の画像データに対して再設定操作を行うことが記載されている。
【０００７】
しかしながら、特許文献１に記載の再設定操作においては、プレビュー表示画面の近傍に配置された再設定ボタンを押下することによって、再設定用の別の画面（プレビュー再設定画面）がプレビュー表示画面に代えてタッチパネルに表示される。そして、当該プレビュー再設定画面を用いた再設定操作が行われた後に、当該プレビュー再設定画面内の再プレビューボタンが押下されると、今度は、当該プレビュー再設定画面に代えて、再設定後の設定内容に基づく（更新後の）プレビュー表示画面がタッチパネルに表示される。
【０００８】
このように、タッチパネル内での画面遷移が繰り返し実行される。特に、プレビュー再設定画面がタッチパネルに表示されている期間においては、プレビュー表示画面はタッチパネルに表示されておらず、再設定操作時にはプレビュー表示画面（プレビュー画像）を視認することができない。そのため、十分な操作性を得ることができないという問題がある。
【０００９】
そこで、この発明の課題は、プレビュー後の再設定操作において高い操作性を得ることが可能な画像形成装置を提供することにある。
【課題を解決するための手段】
【００１０】
上記課題を解決すべく、請求項１の発明は、画像形成装置であって、印刷処理の対象画像に関する印刷出力状態を示すプレビュー画像を生成する生成手段と、前記プレビュー画像の表示領域であるプレビュー表示領域と前記印刷処理に関する再設定用の設定項目を含むメニュー画像の表示領域である再設定項目表示領域とを有する画面を表示するとともに、前記メニュー画像内の前記再設定用の設定項目に関する設定変更入力を受け付ける入出力手段と、を備え、前記生成手段は、前記再設定用の設定項目に関して受け付けられた設定変更後の設定内容に基づいて前記プレビュー画像を再生成し、前記入出力手段は、再生成された前記プレビュー画像を前記プレビュー表示領域に表示することを特徴とする。
【００１１】
請求項２の発明は、請求項１の発明に係る画像形成装置において、前記画像形成装置による自動設定動作においてその設定内容が自動決定された設定項目を前記再設定用の設定項目として登録する登録手段、をさらに備えることを特徴とする。
【００１２】
請求項３の発明は、請求項１の発明に係る画像形成装置において、前記再設定用の設定項目をジョブごとに登録する登録手段、をさらに備えることを特徴とする。
【００１３】
請求項４の発明は、請求項３の発明に係る画像形成装置において、前記登録手段は、処理対象ジョブに関するモード設定操作においてモード設定された設定項目を前記再設定用の設定項目として登録することを特徴とする。
【００１４】
請求項５の発明は、請求項４の発明に係る画像形成装置において、前記登録手段は、前記再設定用の設定項目として選択された複数の設定項目のうち、一の設定項目をモード設定するとともに前記再設定用の設定項目として登録し、前記一の設定項目と競合する他の設定項目をモード設定することなく前記再設定の対象項目として登録することを特徴とする。
【００１５】
請求項６の発明は、請求項５の発明に係る画像形成装置において、前記表示手段は、前記再設定用の設定項目として登録されている前記複数の設定項目のうち、モード設定されている前記一の設定項目とモード設定されていない前記他の設定項目とを区別して表示することを特徴とする。
【００１６】
請求項７の発明は、請求項１の発明に係る画像形成装置において、前記再設定用の設定項目は、処理対象ジョブの開始前において予め登録されることを特徴とする。
【００１７】
請求項８の発明は、請求項７の発明に係る画像形成装置において、前記再設定用の設定項目は、管理者の指示入力に応じて前記処理対象ジョブの開始前に予め登録されることを特徴とする。
【００１８】
請求項９の発明は、請求項７の発明に係る画像形成装置において、前記再設定用の設定項目は、ユーザごとに決定されて予め登録されることを特徴とする。
【００１９】
請求項１０の発明は、請求項１の発明に係る画像形成装置において、ジョブごとに登録された前記再設定用の設定項目の登録履歴情報を格納する格納手段、をさらに備え、前記入出力手段は、前記登録履歴情報に含まれる複数のジョブの履歴情報を履歴情報表示画面に表示して、前記複数のジョブのうち参照すべきジョブである参照ジョブの指定入力を受け付け、当該指定された参照ジョブにて登録されていた前記再設定用の設定項目を前記メニュー画像内に表示することを特徴とする。
【００２０】
請求項１１の発明は、請求項１の発明に係る画像形成装置において、前記再設定用の設定項目を予想使用頻度に応じて分類して登録する登録手段、をさらに備え、前記表示手段は、前記メニュー画像内にて前記再設定用の複数の設定項目を予想使用頻度に応じて分類して表示することを特徴とする。
【００２１】
請求項１２の発明は、請求項１の発明に係る画像形成装置において、省資源化に寄与する設定項目である特定の設定項目を前記再設定用の設定項目として登録する登録手段、をさらに備えることを特徴とする。
【００２２】
請求項１３の発明は、請求項１２の発明に係る画像形成装置において、前記登録手段は、ユーザによる所定の操作入力に応答して、前記特定の設定項目を前記再設定用の設定項目として登録することを特徴とする。
【００２３】
請求項１４の発明は、請求項１の発明に係る画像形成装置において、前記入出力手段は、前記再設定用の設定項目に関する複数の詳細設定項目を含む前記メニュー画像を表示するとともに、前記メニュー画像内の前記複数の詳細設定項目に関する１又は２以上の変更入力を受け付け、前記１又は２以上の変更入力に応じて、対応部分が更新された前記プレビュー画像を更新表示することを特徴とする。
【００２４】
請求項１５の発明は、請求項１の発明に係る画像形成装置において、前記再設定用の設定項目として複数の設定項目を登録する登録手段と、前記複数の設定項目に関する使用情報を格納する格納手段と、を備え、前記登録手段は、前記使用情報に基づき前記複数の設定項目のうち所定条件を満たし不要であると判定されるものを前記メニュー画像内での表示対象項目から除外することを特徴とする。
【発明の効果】
【００２５】
請求項１なしい請求項１５に記載の発明によれば、画面内のプレビュー表示領域にプレビュー画像が表示され且つ当該画面内の再設定項目表示領域にメニュー画像が表示されるので、ユーザはプレビュー画像とメニュー画像との双方を並列的に視認しつつ、再設定操作を行うことが可能である。したがって、高い操作性を得ることができる。
【００２６】
特に、請求項２に記載の発明によれば、画像形成装置によって自動的に設定された設定項目が再設定用の設定項目として登録されるので、画像形成装置によって自動的に設定された設定項目の内容をユーザが簡易に変更することが可能である。
【００２７】
また特に、請求項１０に記載の発明によれば、登録履歴情報に含まれる複数のジョブの履歴情報が履歴情報表示画面に表示されて参照ジョブの指定入力が受け付けられ、参照ジョブにて登録されていた再設定用の設定項目がメニュー画像内に表示されるので、過去の登録履歴情報を有効活用することができる。
【００２８】
また特に、請求項１４に記載の発明によれば、プレビュー画像において、複数の詳細設定項目に関する１又は２以上の変更入力に応じて、対応部分が更新されるので、各詳細設定項目に対応する変更箇所を把握し易い。
【００２９】
また特に、請求項１５に記載の発明によれば、複数の設定項目のうち所定条件を満たし不要であると判定されるものがメニュー画像内での表示対象項目から除外されるので、メニュー画像の表示領域である再設定項目表示領域を有効に利用することができる。
【図面の簡単な説明】
【００３０】
【図１】画像形成装置の構成を示す概略図である。
【図２】コピージョブを示すフローチャートである。
【図３】操作パネル部の設定画面を示す図である。
【図４】「カラー」に関する設定動作を行うための設定画面である。
【図５】「仕上がり」に関する設定動作を行うための設定画面である。
【図６】「ステープル」に関する設定動作を行うための設定画面である。
【図７】当初の設定を反映したプレビュー画像を含む画面を示す図である。
【図８】再設定操作中の画面を示す図である。
【図９】再設定操作後のプレビュー画像を含む画面を示す図である。
【図１０】「枠消し」がしおり登録されている画面を示す図である。
【図１１】「枠消し」に関する再設定用の詳細なメニュー画像を示す図である。
【図１２】設定変更結果を反映したプレビュー画像を示す図である。
【図１３】更なる設定変更結果を反映したプレビュー画像を示す図である。
【図１４】排他的な２つの設定項目がしおり登録されている様子を示す図である（第２実施形態）。
【図１５】設定変更結果を反映したプレビュー画像を示す図である。
【図１６】変形例に係る表示例である。
【図１７】変形例に係る表示例である。
【図１８】装置に登録されたしおり項目が表示されるメニュー画面を示す図である（第３実施形態）。
【図１９】設定変更結果を反映したプレビュー画像を示す図である。
【図２０】装置においてユーザごとに異なるしおり項目を登録するためのデータテーブルを示す図である。
【図２１】或るユーザに関するメニュー画面を示す図である。
【図２２】目標印刷出力状態を示す図である（第４実施形態）。
【図２３】ユーザにより載置された「原稿の向き」を示す図である。
【図２４】画像形成装置により想定された「原稿の向き」を示す図である。
【図２５】画像形成装置の想定に基づくステープル位置を示す図である。
【図２６】図２３と図２５とを重畳して示す図である。
【図２７】画像形成装置の想定に基づく印刷出力結果を示す図である。
【図２８】自動設定項目のしおり登録動作を含む動作を示すフローチャートである。
【図２９】自動設定項目が「しおり」として登録された画面を示す図である。
【図３０】更新後のプレビュー画像を含む画面を示す図である。
【図３１】しおり項目を使用期待度（予想使用頻度）で分類して登録する登録用画面を示す図である。
【図３２】複数の「しおり項目」が「使用期待度」で分類されて登録されている画面を示す図である。
【図３３】「省資源推進しおり項目」が表示された画面を示す図である。
【図３４】しおり履歴情報を示す図である。
【図３５】しおり履歴情報を用いて呼び出された「しおり項目」が表示されている画面を示す図である。
【図３６】設定変更結果を反映したプレビュー画像を示す図である。
【図３７】「しおり使用情報」を記録したデータテーブルを示す図である。
【図３８】メニュー画像の拡大前の画面を示す図である。
【図３９】メニュー画像の拡大後の画面を示す図である。
【発明を実施するための形態】
【００３１】
以下、本発明の実施形態を図面に基づいて説明する。
【００３２】
＜１．第１実施形態＞
＜１−１．構成＞
図１は、画像形成装置１の構成を示す概略図である。ここでは、画像形成装置１は、マルチ・ファンクション・ペリフェラル（Multi Function Peripheral）（ＭＦＰとも略称する）として構成されているものとする。当該ＭＦＰは、スキャナ機能、プリンタ機能、コピー機能およびファクシミリ通信機能などを備える装置（複合機とも称する）である。なお、画像形成装置１は、ＭＦＰに限定されず、コピー装置等として構成されてもよい。
【００３３】
図１に示すように、画像形成装置１は、画像読取部２、印刷出力部３、通信部４、格納部５、入出力部６およびコントローラ９等を備えており、これらの各部を複合的に動作させることによって、各種の機能を実現する。
【００３４】
画像読取部２は、画像形成装置１の所定の位置に載置された原稿を光学的に読み取って、当該原稿の画像データ（原稿画像とも称する）を生成する処理部である。
【００３５】
印刷出力部３は、対象画像に関する画像データに基づいて紙などの各種の媒体に画像を印刷出力する出力部である。
【００３６】
通信部４は、公衆回線等を介したファクシミリ通信を行うことが可能な処理部である。さらに、通信部４は、ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、画像形成装置１は、所望の相手先との間で各種のデータを授受することが可能である。
【００３７】
格納部５は、ハードディスクドライブ（ＨＤＤ）および不揮発性メモリ等の格納装置で構成される。この格納部５には、画像読取部２等で生成された原稿画像（画像データ）等が格納される。また、格納部５には、各種の履歴情報等も格納される。
【００３８】
入出力部６は、画像形成装置１に対する入力を受け付ける操作入力部６ａと、各種情報の表示出力を行う表示部６ｂとを備えている。
【００３９】
具体的には、画像形成装置１には、入出力部６として機能する操作パネル部６０（図３参照）が設けられている。この操作パネル部６０は、ハードキー６１（ＢＮ１，ＢＮ５，ＢＮ９等）とタッチスクリーン６３とを有している。
【００４０】
ハードキー６１は、操作入力部６ａの一部として機能する。ハードキー６１は、しおり登録ボタンＢＮ１、プレビューボタンＢＮ５、スタートボタンＢＮ９等を含む。
【００４１】
また、タッチスクリーン６３は、液晶表示パネルに圧電センサ等が埋め込まれて構成されており、表示部６ｂの一部として機能するとともに、操作入力部６ａの一部としても機能する。詳細には、タッチスクリーン６３は、液晶表示パネルに各種の情報を表示することが可能であるとともに、液晶表示パネルに対する操作者の手指の操作位置を検知して、各種の入力を受け付けることも可能である。たとえば、タッチスクリーン６３に表示された仮想的なボタンが操作者の手指によって触れられると、このような操作は当該仮想的なボタンに対する押下操作であるとみなされる。
【００４２】
このように、入出力部６は、操作者による入力操作（例えば、メニュー画面を利用した各種の設定操作等）を受け付けることが可能である。
【００４３】
コントローラ９は、画像形成装置１を統括的に制御する制御部であり、ＣＰＵと、各種の半導体メモリ（ＲＡＭおよびＲＯＭ等）とを備えて構成される。コントローラ９の制御下において各種の処理部が動作することによって、画像形成装置１の各種の機能が実現される。コントローラ９は、ＣＰＵにおいて、ＲＯＭ（例えば、ＥＥＰＲＯＭ等）内に格納されている所定のソフトウエアプログラム（以下、単にプログラムとも称する）ＰＧを実行することによって、各種の処理部を実現する。なお、当該プログラムＰＧ等は、ネットワークを経由してダウンロードされて取得されるようにしてもよく、あるいは、各種の可搬性記録媒体（ＵＳＢメモリ等）を介して取得されるようにしてもよい。
【００４４】
具体的には、コントローラ９は、モード設定部１１、しおり登録部１２、しおり呼出部１３、画面生成部１４、表示制御部１５を含む各種の処理部を実現する。
【００４５】
モード設定部１１は、印刷処理の対象画像に関する各種の処理モードを設定する処理部である。たとえば、モード設定部１１は、「片面」印刷モード、「両面」印刷モード、あるいは、「２ｉｎ１」モードなどの各種の印刷出力状態に関するモードを設定する。
【００４６】
しおり登録部１２は、印刷処理に関する再設定用の設定項目（「しおり項目」とも称する（後述））を登録する処理部である。
【００４７】
しおり呼出部１３は、しおり登録部１２によって登録されている「しおり項目」（再設定用の設定項目）を呼び出す処理部である。
【００４８】
画面生成部１４は、タッチスクリーン６３に表示される後述の各種の画面（ＧＡ，ＧＢ等）を生成する処理部である。この画面生成部１４は、プレビュー画像ＰＶとメニュー画像ＭＮとを有するプレビュー付き画面ＧＢ（後述）等を生成する。
【００４９】
表示制御部１５は、画面生成部１４によって生成された各種画面等をタッチスクリーン６３に表示する表示動作を制御する処理部である。
【００５０】
＜１−２．動作＞
＜基本動作＞
つぎに、図２〜図９を参照しながら、設定処理（モード設定処理）とプレビューとを伴うコピージョブについて説明する。このコピージョブでは、当初のモード設定処理で設定されていたモード設定の一部または全部を再設定する再設定処理と当該再設定処理での設定変更内容を反映させる再プレビューとがさらに実行される。図２は、当該コピージョブを示すフローチャートである。また、図３は、操作パネル部６０の「基本設定」に関する設定画面（基本設定画面）ＧＡ１を示す図であり、図４は「カラー」に関する設定動作を行うための設定画面ＧＡ２（ＧＡ２ａ）であり、図５および図６は「仕上がり」に関する設定動作を行うための設定画面ＧＡ２（ＧＡ２ｂ，ＧＡ２ｃ）である。さらに、図７は、当初の設定を反映したプレビュー画像（再設定操作前のプレビュー画像）ＰＶを含む画面ＧＢ（ＧＢ１）を示す図であり、図８は、再設定操作中の画面ＧＢ（ＧＢ２）を示す図であり、図９は、再設定操作後のプレビュー画像ＰＶを含む画面ＧＢ（ＧＢ３）を示す図である。
【００５１】
この実施形態においては、印刷処理に関する再設定用の設定項目（「しおり項目」とも称する）がジョブごとに登録されるものとする。換言すれば、異なるコピージョブに対しては、それぞれ、個別のしおり項目を登録する動作が実行されるものとする。
【００５２】
図２のフローチャートを参照する。図２に示すように、まず、画像形成装置１の起動状態において、しおり登録およびモード設定が行われる（ステップＳ１１）。
【００５３】
具体的には、画像形成装置１の操作ユーザ（単にユーザとも称する）ＵＡは、操作パネル部６０（図３）等を用いてユーザ認証動作を行った後、当該操作パネル部６０において、しおり登録ボタンＢＮ１を押下する。画像形成装置１は、しおり登録ボタンＢＮ１の押下操作を「しおり登録処理」の開始指示とみなして、しおりの登録操作の受け付けを開始する。なお、この実施形態においては、しおりの登録操作は、モード設定操作でもあるものとする。換言すれば、この実施形態においては、ユーザＵＡによるモード設定操作でモード設定された設定項目が再設定用の設定項目（しおり項目）として登録もされるものとする。
【００５４】
具体的には、ユーザＵＡは、このコピージョブに関して、画面ＧＡ１，ＧＡ２を用いてモード設定操作を実行する。詳細には、モード設定の対象項目を画面ＧＡ２等を用いて選択する。このモード設定に関する選択操作は、処理対象ジョブに関するしおり項目の登録操作（しおり登録操作）を兼ねており、このようなモード設定操作（プレビュー前のモード設定操作）で設定された設定項目が「しおり登録」の対象項目として登録される。
【００５５】
以下では、２種類の設定項目（「フルカラー」および「コーナーステープル」）に関するモード設定が行われるとともに、当該両設定項目（「フルカラー」および「コーナーステープル」）が「しおり項目」として登録される場合（図７参照）について詳細に説明する。
【００５６】
まず、「フルカラー」に関するモード設定動作等について説明する。
【００５７】
図３においては、「基本設定」に関する設定画面ＧＡ１がタッチスクリーン６３に表示されている。当該設定画面ＧＡ１には、「カラー」、「用紙」、「倍率」、「両面／集約」等の各種の設定項目に対応する（仮想的な）ボタンＢＴ１１〜ＢＴ１７が表示されている。なお、タブを切り換えることによって、「基本設定」に関する設定画面以外の設定画面（たとえば、「応用設定」に関する設定画面等）をタッチスクリーン６３に表示させることも可能である。
【００５８】
図３のボタンＢＴ１１〜ＢＴ１７のいずれかが押下されると、対応する設定項目の詳細設定画面がタッチスクリーン６３に表示される。ユーザＵＡは、当該詳細設定画面を用いることにより、各種の詳細設定を実行することができる。ここでは、「カラー」ボタンＢＴ１１が押下され、図４の詳細設定画面ＧＡ２ａがタッチスクリーン６３に表示されるものとする。
【００５９】
画面ＧＡ２ａにおいて、「フルカラー」ボタンＢＴ２２が押下され更にＯＫボタンＢＴ２９が押下されると、画像形成装置１は、当該コピージョブに関して「フルカラー」モードを設定（モード設定）する。また、画像形成装置１は、「フルカラー」をしおり項目（再設定項目）としても登録する。その後、画像形成装置１は、画面ＧＡ１（図３）を再びタッチスクリーン６３に表示する。
【００６０】
つぎに、「コーナーステープル」に関する設定動作等について説明する。
【００６１】
画面ＧＡ１内の下部のボタンＢＴ１５が押下されると、図５の詳細設定画面ＧＡ２ｂがタッチスクリーン６３に表示される。当該画面ＧＡ２ｂにおいて、「ステープル」ボタンＢＴ２６が押下されると、今度は図６の詳細設定画面ＧＡ２ｃがタッチスクリーン６３に表示される。画面ＧＡ２ｃにおいて、「コーナーステープル」ボタンＢＴ３２が押下されるとともに、当該コーナーステープルの位置指定が行われる。ここでは、コーナーステープルを「右上」に配置すべき旨を示す「右上」ボタンＢＴ３５が押下されるものとする。
【００６２】
その後、ＯＫボタンＢＴ３９が押下されると、画像形成装置１は、当該コピージョブに関して「コーナーステープル」を設定する。詳細には、用紙の「右上」位置に「コーナーステープル」を施すべき旨を設定する。また、画像形成装置１は、「コーナーステープル」をしおり（再設定項目）としても登録する。当該登録によって、後述するようなコーナーステープルに関する再設定動作が可能になる。なお、画像形成装置１は、画面ＧＡ１（図３）を再びタッチスクリーン６３に表示する。
【００６３】
ユーザＵＡは、上記のようにして２つの項目（「フルカラー」および「コーナーステープル」）に関する設定動作を終えると、自動原稿送り装置（ＡＤＦ：Auto Document Feeder）に原稿が載置された状態で、プレビューボタンＢＮ５を押下する。
【００６４】
画像形成装置１は、プレビューボタンＢＮ５の押下操作に応答して、原稿を光学的に読み取り、コピー用画像を生成する（ステップＳ１２）。
【００６５】
また、画像形成装置１は、当該コピー用画像に基づいて、上記の設定内容を反映したプレビュー画像ＰＶをも生成する。このプレビュー画像ＰＶは、印刷処理の対象画像に関する印刷出力状態を示す画像である。さらに、画像形成装置１は、「しおり項目」を含むメニュー画像ＭＮをも生成する。このメニュー画像ＭＮは、印刷処理に関する再設定用のメニューを表示する画像であるとも表現される。
【００６６】
そして、プレビュー付き画面ＧＢ（ＧＢ１（図７））がタッチスクリーン６３に表示される（ステップＳ１３）。このプレビュー付き画面ＧＢ（ＧＢ１）は、プレビュー表示領域Ｒ１としおり表示領域Ｒ２とを有している。プレビュー付き画面ＧＢは、メニュー画面であることから、プレビュー付きメニュー画面ＧＢとも称される。
【００６７】
プレビュー表示領域Ｒ１にはプレビュー画像ＰＶが表示され、しおり表示領域Ｒ２にはメニュー画像ＭＮが表示される。ここにおいて、プレビュー画像ＰＶとメニュー画像ＭＮとは、対比可能に左右に配列され同時並列的に表示される。なお、図７のプレビュー画像ＰＶにおいては、「フルカラー」設定且つ「（右上）コーナーステープル」設定がなされていることが示されている。また、プレビュー表示領域Ｒ１に関連して設けられたスクロールバーＳＢを操作することによって、プレビュー表示領域Ｒ１内での表示対象ページを変更することが可能である。これによれば、印刷対象文書の複数のページのそれぞれを閲覧することが可能である。
【００６８】
ユーザＵＡは、プレビュー表示領域Ｒ１に表示されたプレビュー画像ＰＶを視認して、設定内容が正しいか否かを判断する。設定内容が正しい場合にはそのままスタートボタンＢＮ９を押下する。一方、設定内容を修正すべき場合には、しおり表示領域Ｒ２に表示されたメニュー画像ＭＮを用いて再設定操作を行う。具体的には、しおりとして登録された設定項目ボタンＢＴ４１，ＢＴ４２（図７参照）の少なくとも一方を押下することによって、再設定動作が実行される。ここでは、上述のしおり登録動作によって２つの設定項目（「フルカラー」および「コーナーステープル」）が登録されており、当該２つの設定項目に対応する「しおり項目」がメニュー画像ＭＮ内に表示されているものとする。
【００６９】
以下では、プレビュー画像ＰＶの視認結果に基づいて「コーナーステープル」に関する設定変更が行われる場合を中心に説明する。
【００７０】
画像形成装置１は、画面ＧＢ１をタッチスクリーン６３に表示する（ステップＳ１３）と、しおり操作（メニュー画像ＭＮ内のボタンに対する押下操作）と印刷出力指示（スタートボタンＢＮ９の押下操作）とを待機する（ステップＳ１４，Ｓ１５）。なお、「しおり操作」を待機する動作は、メニュー画像ＭＮ内の「しおり項目」に関する設定変更入力を受け付ける動作である、とも表現される。
【００７１】
そして、画像形成装置１は、スタートボタンＢＮ９の押下操作を検出する場合には、（ステップＳ１５からステップＳ１８へと進み、）処理対象画像を設定内容に基づいて印刷出力する。スタートボタンＢＮ９の押下操作が検出されない場合には、ステップＳ１４，Ｓ１５での検出処理を繰り返し実行する。
【００７２】
一方、画像形成装置１は、スタートボタンＢＮ９の押下操作の待機期間中においてメニュー画像ＭＮ内のボタンに対する押下操作を検出すると（ステップＳ１４でＹＥＳ）、しおり項目に関する再設定動作（ステップＳ１６）と当該再設定動作による更新後のプレビュー画像ＰＶの表示動作（ステップＳ１７）とを実行する。
【００７３】
より具体的には、画像形成装置１は、メニュー画像ＭＮ内のボタンの押下操作を検出すると、当該押下操作に応答して、当該押下対象のボタンに対応する設定項目の詳細設定画像（新たなメニュー画像ＭＮ）をしおり表示領域Ｒ２に表示する。たとえば、「コーナーステープル」ボタンＢＴ４２（図７）が押下されると、「コーナーステープル」に関する詳細設定用のメニュー画像ＭＮ（図８参照）がしおり表示領域Ｒ２に表示される。詳細には、「コーナーステープル」の下位階層に関するメニュー項目ボタン、より詳細には、コーナーステープルの位置を設定するためのボタン（「左上」ボタンＢＴ４６および「右上」ボタンＢＴ４７）を有するメニュー画像ＭＮがしおり表示領域Ｒ２に表示される。また、ここでは、「コーナーステープル」のモード設定を解除する設定ボタンＢＴ４８もメニュー画像ＭＮ内に含まれている。
【００７４】
また、ユーザＵＡは、この詳細設定画像を用いて設定変更操作を行うこと、たとえば、「コーナーステープル」の位置を「右上」から「左上」に設定変更（モード再設定）することができる。詳細には、ユーザＵＡは、「左上」ボタンＢＴ４６を押下することによって「左上」を選択状態（且つ「右上」を非選択状態）にし、その後に「更新」ボタンＢＴ４９を押下する。このようにして、しおり項目に関する再設定動作（ステップＳ１６）が行われる。なお、「更新」ボタンＢＴ４９の押下操作は、モード再設定内容の更新指示（更新確定指示）とプレビュー画像ＰＶの更新指示との双方を付与する操作であるものとする。
【００７５】
さらに、「更新」ボタンＢＴ４９の押下操作に応答して、画像形成装置１は、設定変更操作後の設定内容（再設定項目に関する再設定後の設定内容）に基づいてプレビュー画像ＰＶを再生成（更新）し、再生成された（更新後の）プレビュー画像ＰＶをプレビュー表示領域Ｒ１に表示する（ステップＳ１７）。この結果、図９のような更新後の画面ＧＢ３がタッチスクリーン６３に表示される。更新後のプレビュー画像ＰＶにおいては、コーナーステープルの位置が「右上」から「左上」へと変更されている。ユーザＵＡは、画面ＧＢ３内のプレビュー画像ＰＶを視認することにより、コーナーステープルの位置が正しい位置に設定されたことを確認することができる。そして、ステップＳ１５に進む。
【００７６】
その後、適宜のタイミングでスタートボタンＢＮ９が押下されると、ステップＳ１２で取得されたコピー用画像を用いて印刷出力処理が実行される。具体的には、処理処理の対象画像が再設定後の設定内容（設定変更後の設定内容）に基づいて印刷出力される（ステップＳ１８）。
【００７７】
以上のように、プレビュー付き画面ＧＢ１（図７）においては、当初の設定内容を反映したプレビュー画像ＰＶと再設定用のメニュー画像ＭＮとが同時並列的に表示される。詳細には、画面ＧＢ１内のプレビュー表示領域Ｒ１にプレビュー画像ＰＶが表示され且つ当該画面ＧＢ１内のしおり表示領域（再設定項目表示領域）Ｒ２にメニュー画像ＭＮが表示される。そして、ユーザＵＡは、この画面ＧＢ１を用いて、設定内容の正否を確認することができる。より詳細には、ユーザＵＡは、画面ＧＢ１（図７）内における変更前のプレビュー画像ＰＶを見て、「コーナーステープル」の位置が所望の位置でないことを知得する。
【００７８】
そして、プレビュー画像ＰＶとメニュー画像ＭＮとがともに表示された状態にて、メニュー画像ＭＮを用いた再設定動作が行われる。より詳細には、ユーザＵＡは、当該プレビュー画像ＰＶを目視で確認しながら、画面ＧＢ１のメニュー画像ＭＮの「コーナーステープル」ボタンＢＴ４２を押下し、さらに画面ＧＢ２（図８）のメニュー画像ＭＮの「左上」ボタンＢＴ４６を押下して、設定変更操作を行うことができる。
【００７９】
このように、ユーザＵＡは、変更前のプレビュー画像ＰＶを見ながら、「コーナーステープル」の正しい位置が「右上」ではなく「左上」であることを認識し、上述のような変更操作を行うことができる。すなわち、ユーザＵＡは、プレビュー画像ＰＶとメニュー画像ＭＮとの双方を並列的に視認しつつ、再設定操作を行うことが可能である。したがって、プレビュー画像ＰＶが一旦見えなくなる場合に比べて、プレビュー画像ＰＶを見て確認しながら安心して変更操作を行うことができ誤認等を低減させることが可能であるので、高い操作性を得ることができる。
【００８０】
また、メニュー画像ＭＮ（図７および図８）を用いた再設定操作直後において、メニュー画像ＭＮによる再設定内容を反映したプレビュー画像ＰＶ（図９）が、プレビュー表示領域Ｒ１において更新表示される。そのため、ユーザは再設定動作直後に更新後のプレビュー画像ＰＶをプレビュー表示領域Ｒ１において直ちに確認することができる。
【００８１】
詳細には、更新ボタンＢＴ４９の押下に応答して、設定変更結果が直ちに画面ＧＢ３のプレビュー画像ＰＶに反映される。換言すれば、プレビュー表示領域Ｒ１が表示されたまま、プレビュー画像ＰＶが変更される。より詳細には、右側のしおり表示領域Ｒ２のメニュー画像ＭＮを用いて設定変更を行いつつ、左側のプレビュー表示領域Ｒ１において当該設定変更を反映したプレビュー画像ＰＶが表示される。
【００８２】
これによれば、更新ボタンＢＴ４９の押下に応答して、プレビュー表示領域Ｒ１としおり表示領域Ｒ２との双方の表示状態が維持されつつ、プレビュー表示領域Ｒ１内のプレビュー画像ＰＶが設定変更前のものから設定変更後のものへと変化する。そのため、目線の移動を最小限に抑制しつつ、設定変更操作の反映結果を確認することができる。換言すれば、「コーナーステープル」の位置が「右上」から「左上」に変更されたことを判りやすい態様で視認することが可能である。すなわち、プレビュー画像ＰＶの変化を確認し易い。
【００８３】
また、上記においては、設定変更される可能性の高い設定項目が、ユーザ操作に応じて「しおり項目」として登録（しおり登録）される。そのため、その大きさ（面積）が限定された「しおり表示領域Ｒ２」を有効に活用することが可能である。詳細には、仮に「しおり表示領域Ｒ２」内に非常に多数の設定項目をしおり項目として配置すると、ユーザが所望の変更対象項目を探しにくくなるなどの問題が生じ得るのに対して、上記の態様によれば、ユーザにより厳選された数の設定項目（設定変更される可能性の高い設定項目）が「しおり項目」としてしおり表示領域Ｒ２に表示される。端的に言えば、しおり項目に関する「絞り込み」が行われている。したがって、そのような問題の発生を回避することができ、高い操作性を確保することができる。そして、そのようなしおり表示領域Ｒ２とプレビュー表示領域Ｒ１との双方をプレビュー付き画面ＧＢにて表示することによって、プレビュー表示領域Ｒ１の大きさの低減を回避してプレビュー画像ＰＶを引き続き大きく大きく表示することも可能である。すなわち、高い操作性を確保しつつ見易いプレビュー画像を提示することが可能である。
【００８４】
＜その他のしおり項目を用いた再設定操作＞
上記においては、「コーナーステープル」の位置に関する設定変更操作について主に説明したが、画像形成装置１においては、その他の様々な設定変更が同様にして行われ得る。以下では、プレビュー画像ＰＶとメニュー画像ＭＮとを有するメニュー画面ＧＢ（ＧＢ１〜ＧＢ３）を用いて「枠消し」に関する設定変更を行う場合について、図１０〜図１２等を参照しつつ更に例示する。図１０は、「枠消し」が「しおり項目」として登録されているプレビュー付き画面ＧＢ１（ＧＢ１２）を示す図である。また、図１１は、「枠消し」に関する再設定用の詳細なメニュー画像ＭＮ等を含む画面ＧＢ２（ＧＢ２２）を示す図であり、図１２は、設定変更結果を反映したプレビュー画像ＰＶ等を含む画面ＧＢ３（ＧＢ３２）を示す図である。
【００８５】
ここでは、図２に示すフローチャートのステップＳ１１において上述の「フルカラー」および「コーナーステープル」に加えて「枠消し」に関しても、モード設定動作としおり登録動作との双方が行われているものとする。そして、プレビューボタンＢＮ５が押下されることによって、原稿読取動作（ステップＳ１２）が行われ、図１０に示すようなプレビュー付き画面ＧＢ１（ＧＢ１２）がタッチスクリーン６３に表示される（ステップＳ１３）。画面ＧＢ１２のしおり表示領域Ｒ２内においては、上述のボタンＢＴ４１，ＢＴ４２に加えて「枠消し」ボタンＢＴ４３も表示されている。なお、図１０では、当初から、「コーナーステープル」の位置として「左上」が指定されている場合が想定されている。
【００８６】
この画面ＧＢ１（ＧＢ１２）のしおり表示領域Ｒ２内の「枠消し」ボタンＢＴ４３が押下されると、図１１に示すような画面ＧＢ２（ＧＢ２２）がタッチスクリーン６３に表示される。画面ＧＢ２２は、画面ＧＢ１２とほぼ同様の構成を有している。ただし、しおり表示領域Ｒ２のメニュー画像ＭＮが「枠消し」に関する詳細設定用の画像に変更されている点などにおいて、画面ＧＢ２２は画面ＧＢ１２と相違する。具体的には、画面ＧＢ２２においては、ボタンＢＴ４１〜ＢＴ４３に代えて、上下左右のそれぞれの枠消し領域幅に関する設定欄が設けられている。具体的には、「上」の幅（上側枠消し領域幅）、「下」の幅（下側枠消し領域幅）、「左」の幅（左側枠消し領域幅）、「右」の幅（右側枠消し領域幅）等をそれぞれ設定する各設定欄が設けられている。なお、図１１では、当初の設定として、「上」、「下」、「左」、「右」のそれぞれにおいて「１．０ｍｍ」が指定されている場合が想定されている。
【００８７】
画像形成装置１は、この画面ＧＢ２（ＧＢ２２）を用いて、複数の詳細設定項目に関する１又は２以上の変更入力を受け付ける。そして、画像形成装置１は、当該変更入力に応じて、対応部分が更新されたプレビュー画像ＰＶを更新表示する。
【００８８】
具体的には、ユーザＵＡが、操作パネル部６０のカーソルキーおよび数字キー（不図示）等を用いて、変更後の数値を「枠消し領域幅に関する設定欄」に入力し更新ボタンＢＴ４９を押下する。画像形成装置１は、当該押下操作に応答して、変更後の数値に応じた（更新後の）プレビュー画像ＰＶを生成する。そして、画像形成装置１は、プレビュー表示領域Ｒ１内のプレビュー画像ＰＶを更新して、画面ＧＢ３（ＧＢ３２）をタッチスクリーン６３に表示する。画面ＧＢ３２（図１２）は、画面ＧＢ２２とほぼ同様の構成を有している。ただし、プレビュー画像ＰＶが「枠消し」に関する詳細設定内容を反映した後の画像に変更（更新）されている点などにおいて、画面ＧＢ３２は画面ＧＢ２２と相違する。具体的には、しおり表示領域Ｒ２の設定欄を用いて「上」の幅が１ｍｍから２０ｍｍへと設定変更されたことに応じて、図１２のプレビュー表示領域Ｒ１のプレビュー画像ＰＶにおいては、変更後の上端の枠消し領域（横長帯状領域）が点滅して示される。これにより、ユーザＵＡは、変更部分を容易に知得することができる。
【００８９】
また、「上」以外の幅を設定する設定欄（「下」、「左」、「右」の各幅を設定する設定欄）についても同様の設定動作が行われ得る。
【００９０】
たとえば、ユーザＵＡが、さらに、図１２のしおり表示領域Ｒ２内の「左」設定欄に変更後の数値（１０ｍｍ）を入力し更新ボタンＢＴ４９を押下すると、画像形成装置１は、変更後の数値に応じた（更新後の）プレビュー画像ＰＶを生成する。そして、画像形成装置１は、プレビュー表示領域Ｒ１内のプレビュー画像ＰＶを更新表示する。図１３においては、更新後の画面ＧＢ３２が示されている。しおり表示領域Ｒ２の設定欄を用いて「左」の幅が１ｍｍから１０ｍｍへと設定変更されたことに応じて、図１３のプレビュー表示領域Ｒ１のプレビュー画像ＰＶにおいては、変更後の左端の枠消し領域（縦長帯状領域）が点滅して示される。これにより、ユーザＵＡは、変更部分を容易に知得することができる。また、ユーザＵＡは、複数の詳細設定項目（「上」および「左」）について、それぞれ、如何なる内容が変更されたのかを容易に知得することができる。
【００９１】
以上のように、プレビュー画像ＰＶにおいて、複数の詳細設定項目に関する設定変更に応じて、対応する複数の部分が更新される。したがって、複数の詳細設定項目のそれぞれに対応する変更箇所を把握し易い。
【００９２】
特に、上記のように複数の詳細設定項目について段階的に変更操作が行われる場合には、各段階における変更内容をそれぞれ容易に把握することができるので、非常に有用である。
【００９３】
また、複数の詳細設定項目が段階的に変更される期間において、プレビュー表示領域Ｒ１にてプレビュー画像ＰＶがタッチスクリーン６３に表示され続けているので、プレビュー表示領域Ｒ１およびプレビュー画像ＰＶが一旦表示されなくなる場合に比べて、変更部分の特定が容易である。
【００９４】
さらに、画像形成装置１は、タッチスクリーン６３内の右側のしおり表示領域Ｒ２において複数の詳細設定項目に関する設定変更操作を受け付けつつ、タッチスクリーン６３内の左側のプレビュー表示領域Ｒ１において当該複数の詳細設定項目に関する変更内容を反映したプレビュー画像ＰＶを表示する。したがって、目線の移動を最小限に抑制しつつ、複数の詳細設定項目に関する設定変更操作の反映結果を確認することができる。
【００９５】
なお、上記実施形態においては、しおり登録ボタンＢＮ１を１回押した後に、複数の設定項目に関するボタン（ＢＴ２２，ＢＴ３２等）を押下して複数のモード設定操作を行い、当該複数の設定項目を一括的にしおり項目としても登録する場合を例示したが、これに限定されない。たとえば、各設定項目ボタンを押下して各設定項目に関するモード設定を行うたびにその直後にしおり登録ボタンＢＮ１を押下し、当該しおり登録ボタン押下直前のモード設定に関する項目を「しおり項目」として登録するようにしてもよい。
【００９６】
また、上記実施形態においては、処理対象ジョブに関するモード設定操作においてモード設定された設定項目をしおり項目としても登録する場合（いわばモード設定操作がしおり登録操作を兼ねている場合）について説明したが、これに限定されない。たとえば、モード設定操作としおり登録操作とが別個独立の操作として行われるようにしてもよい。より具体的には、まず、通常のモード設定操作（「フルカラー」および「コーナーステープル」のモード設定操作）を行い、つぎに、しおり登録ボタンＢＮ１を押下した後に「しおり登録操作」（「フルカラー」および「コーナーステープル」のしおり登録操作）を（モード設定操作とは独立して）実行するようにしてもよい。この場合には、しおり登録ボタンＢＮ１を押下した後に押下されたボタンに対応する設定項目は、実際のモード設定には反映されない。ただし、上述のように、処理対象ジョブに関するモード設定操作においてモード設定された設定項目をしおり項目としても登録することによれば、重複操作を回避することができる。
【００９７】
＜２．第２実施形態＞
上記第１実施形態では、ユーザによる設定操作によってモード設定された設定項目のみが「しおり項目」として登録される場合（図２のステップＳ１１参照）を例示した。
【００９８】
この第２実施形態においては、モード設定された設定項目以外の設定項目も「しおり項目」として登録され得る場合について説明する。詳細には、ユーザによる設定操作に応じて、複数の設定項目が「しおり項目」として登録されるとともに、そのうちの一部の設定項目が実際にモード設定される場合について説明する。より具体的には、ユーザの設定操作に応じて、「フルカラー」、「コーナーステープル」、「２点ステープル」の３つの設定項目が「しおり項目」として登録され、そのうち「フルカラー」、「コーナーステープル」の２つの設定項目に関するモード設定が行われる場合を例示する。これによれば、当該ジョブにおいて変更可能性のある設定項目（ここでは「２点ステープル」）を予め「しおり項目」として登録しておくことができる。
【００９９】
まず、第１実施形態と同様にして、しおり登録ボタンＢＮ１の押下後に「フルカラー」および「コーナーステープル」の設定動作が行われ、「フルカラー」および「コーナーステープル」がしおり登録される。「コーナーステープル」については、画面ＧＡ２ｃ（図６）を用いて設定動作が行われる。その後、再び画面ＧＡ２ｃ（図６）が呼び出された後に、「２点ステープル」ボタンＢＴ３３およびＯＫボタンＢＴ３３が押下され、「２点ステープル」も再設定用（設定変更用）の項目（「しおり項目」）として選択されて登録される。
【０１００】
ただし、「２点ステープル」と「コーナーステープル」との２つの設定項目は同時にはモード設定され得ないものである。換言すれば、「２点ステープル」と「コーナーステープル」とは競合関係を有し、排他的にのみモード設定可能である。そこで、互いに競合する複数の設定項目に関する設定操作が行われる場合には、当該複数の設定項目の全てが「しおり項目」として登録され、その一方で、モード設定の対象項目はその設定操作順序に基づいて（ここでは「先設定」優先で）決定されるものとする。詳細には、「しおり項目」として選択された互いに競合する２つの設定項目のうち最初に設定された設定項目がモード設定の対象項目として決定される。具体的には、しおり登録ボタンＢＮ１の押下後に、最初に押下された「コーナーステープル」ボタンＢＴ３２に対応する設定項目「コーナーステープル」がモード設定される。一方、その後に設定された「２点ステープル」は、モード設定には反映されない。
【０１０１】
この結果、図１４に示すように、画面ＧＢ１（ＧＢ１３）内左側のプレビュー画像ＰＶには、処理対象画像が「フルカラー」で印刷出力される予定であること、および「コーナーステープル」が施されることが示されている。なお、画面ＧＢ１３内には「２点ステープル」を模式的に示す画像は表示されておらず、「２点ステープル」がモード設定されていないことも示されている。
【０１０２】
また、同一画面ＧＢ１（ＧＢ１３）内右側のメニュー画像ＭＮにおいては、再設定用の３つのしおり項目に関するボタンＢＴ４１，ＢＴ４２，ＢＴ４４が表示されている。すなわち、「フルカラー」、「コーナーステープル」および「２点ステープル」の３つの設定項目が「しおり登録」されていること、が示されている。
【０１０３】
図１４においては、モード設定されている項目（「フルカラー」および「コーナーステープル」）とモード設定されていない項目（「２点ステープル」）とは、異なる態様で（互いに区別されて）表示されている。具体的には、前者は太字で強調表示された青色文字で表示されており、後者は通常の太さの淡色文字で表示されている。このように、各しおり項目がモード設定されているか否かに応じて当該各しおり項目が互いに異なる態様で区別して表示されるので、ユーザは各しおり項目がモード設定されているか否かを判別しやすい。なお、ここでは、しおり表示領域Ｒ２内の各「しおり項目」がモード設定されている項目であるか否かを、「文字の太さ」と「文字の色」との双方で区別する場合を例示したが、これに限定されず、「文字の太さ」と「文字の色」との一方で区別するようにしてもよい。
【０１０４】
そして、ユーザは、このようなメニュー画像ＭＮ内のボタンＢＴ４４を押下することによって、「２点ステープル」をモード設定することができる。すなわち、再設定操作が行われ得る。
【０１０５】
具体的には、ユーザが「２点ステープル」ボタンＢＴ４４を押下した後に、さらに更新ボタンＢＴ４９をさらに押下すると、画像形成装置１は、「２点ステープル」をモード設定し「コーナーステープル」のモード設定を解除する設定変更動作を実行する。また、画像形成装置１は、変更後の設定内容に応じた（更新後の）プレビュー画像ＰＶを生成する。さらに、画像形成装置１は、プレビュー表示領域Ｒ１内のプレビュー画像ＰＶを更新して、図１５に示すような画面ＧＢ３（ＧＢ３３）をタッチスクリーン６３に表示する。画面ＧＢ３３（図１５）は、画面ＧＢ１３（図１４）とほぼ同様の構成を有している。ただし、「コーナーステープル」から「２点ステープル」へと設定変更されたことに応じて、プレビュー表示領域Ｒ１内においては、「コーナーステープル」を模式的に示すプレビュー画像ＰＶではなく、「２点ステープル」を模式的に示すプレビュー画像ＰＶ（左側の２つの綴じ部分を表す２本の短い線分を含む画像）が表示されている。また、メニュー画面ＭＮにおいては、「コーナーステープル」ボタンＢＴ４２ではなく「２点ステープル」ボタンＢＴ４４が強調表示されている。これにより、ユーザＵＡは、設定変更後の内容を知得することができる。
【０１０６】
ここにおいて、図１５のプレビュー画像ＰＶにおいては、変更部分（例えば２点ステープルを示す２本の線分）が点滅して示されることが好ましい。これによれば、ユーザＵＡは、変更部分をさらに容易に知得することができる。また、ここでは「２点ステープル」は左綴じの位置に自動的に決定されるものとするが、「２点ステープル」の詳細設定画面を用いて「綴じ位置」をも設定変更することができるようにしてもよい。これによれば、さらに詳細な設定変更操作等も実行され得る。
【０１０７】
なお、ここでは、しおり表示領域Ｒ２内の各「しおり項目」がモード設定されている項目であるか否かを、「文字の太さ」および「文字の色」等で区別する場合を例示したが、これに限定されない。
【０１０８】
たとえば、図１６および図１７に示すように、しおり表示領域Ｒ２内において、モード設定されているしおり項目を表示するサブ領域Ｒ２１とモード設定されていないしおり項目を表示するサブ領域Ｒ２２とを設けるようにしてもよい。図１６の画面ＧＢ１（ＧＢ１４）では、しおり表示領域Ｒ２内において２つのサブ領域Ｒ２１，Ｒ２２が縦方向に配列して表示されており、図１７の画面ＧＢ１（ＧＢ１５）では、しおり表示領域Ｒ２内において２つのサブ領域Ｒ２１，Ｒ２２が横方向に配列して表示されている。
【０１０９】
＜３．第３実施形態＞
上記各実施形態においては、ジョブごとに「しおり項目」が登録される場合を例示したが、本発明はこれに限定されない。たとえば、画像形成装置１に固有の「しおり項目」が処理対象ジョブの開始前において当該画像形成装置に予め登録されるようにしてもよい。第３実施形態においては、そのような変型例について説明する。
【０１１０】
第３実施形態では、画像形成装置１に固有の「しおり項目」であって各ユーザに共通の「しおり項目」が管理者によって予め登録される場合を例示する。なお、このような登録動作は、当該管理者による指示入力に応じて予め行われているものとする。たとえば、当該管理者が所定の操作画面等において所望の項目（「（片面＞）両面」および「２ｉｎ１」等）をしおり項目として選択して登録すればよい。
【０１１１】
この第３実施形態においては、管理者によるしおり項目の登録動作が終了した後において、第１実施形態等と同様にして、上述の「フルカラー」および「コーナーステープル」に関して、モード設定動作としおり登録動作との双方がユーザ操作に基づいて実行される。そして、プレビューボタンＢＮ５がユーザにより押下されると、原稿読取動作が行われた後に、図１８のようなプレビュー付き画面ＧＢ１（ＧＢ１６）がタッチスクリーン６３に表示される。なお、画面ＧＢ１６においても、当初から、「コーナーステープル」の位置として「左上」が指定されている場合が想定されている。
【０１１２】
この画面ＧＢ１６（図１８）においては、しおり表示領域Ｒ２内において、サブ領域Ｒ２３，Ｒ２４が設けられている。
【０１１３】
サブ領域Ｒ２４は、上記第１あるいは第２実施形態と同様にしてユーザによってジョブごとに決定された「しおり項目」、を示す領域である。サブ領域Ｒ２４においては、「フルカラー」と「コーナーステープル」との２つの設定項目が、ユーザによって当該ジョブに対して登録された「しおり項目」として表示されている。
【０１１４】
一方、サブ領域Ｒ２３は、管理者によって予め登録された「しおり項目」を示す領域である。サブ領域Ｒ２３においては、「（片面＞）両面」（単に「両面」とも表記する）と「２ｉｎ１」との２つの設定項目が、管理者によって予め登録された「しおり項目」として表示されている。なお、サブ領域Ｒ２３内の「しおり項目」は、ジョブによらず当該画像形成装置において固定的に設けられるものであることから、「固定しおり項目」とも表現される。また、ここでは、管理者によって予め画像形成装置１向けに登録された「しおり項目」（サブ領域Ｒ２３内の「しおり項目」）は、ユーザの操作によっては消去されず、且つ、（ジョブに依存することなく）全てのジョブにおいて常に表示されるものとする。
【０１１５】
また、図１８のしおり表示領域Ｒ２においては、モード設定に反映されている設定内容には、斜線が付されて示されている。具体的には、サブ領域Ｒ２４内の２つの項目（「フルカラー」および「コーナーステープル」）には斜線が付され、サブ領域Ｒ２４内の当該２つの項目は、モード設定に反映された「しおり項目」であることが示されている。一方、サブ領域Ｒ２３内の２つの項目（「（片面＞）両面」および「２ｉｎ１」）には斜線が付されておらず、サブ領域Ｒ２３内の当該２つの項目は、モード設定に反映されていない「しおり項目」であることが示されている。このように、ユーザによる最初の設定動作直後においては、装置に予め登録された「固定しおり項目」（サブ領域Ｒ２３内のしおり項目）に関する設定内容はモード設定には未だ反映されていない。
【０１１６】
ユーザＵＡは、この画面ＧＢ１６を用いて、モード再設定動作等を画像形成装置１に実行させることが可能である。たとえば、サブ領域Ｒ２３内の固定しおり項目「２ｉｎ１」を用いて、「１ｉｎ１」を「２ｉｎ１」に変更する設定動作（再設定動作）を行うことが可能である。以下では、当該再設定動作について説明する。
【０１１７】
具体的には、図１８の画面ＧＢ１６のサブ領域Ｒ２３内の固定しおり項目「２ｉｎ１」ボタンＢＴ５２が押下されその後に更新ボタンＢＴ４９が押下されると、画像形成装置１は、設定変更後の設定内容に応じた（更新後の）プレビュー画像ＰＶを生成する。そして、画像形成装置１は、プレビュー表示領域Ｒ１内のプレビュー画像ＰＶを更新して、図１９に示すような画面ＧＢ３（ＧＢ３６）をタッチスクリーン６３に表示する。すなわち、画面ＧＢ３６（図１９）においては、「２ｉｎ１」への変更後のプレビュー画像ＰＶが示される。そのため、ユーザＵＡは、変更後の印刷出力状態（予定）を容易に確認することができる。
【０１１８】
以上のような態様によれば、「固定しおり項目」が管理者等によって装置に予め登録されている（事前登録されている）ので、ユーザによる「しおり」登録動作がジョブごとに行われなくても、当該「固定しおり項目」（「２ｉｎ１」等）を利用した再設定動作を行うことが可能である。そのため、ユーザは、ジョブごとにしおり登録をすることを要しないため、ユーザの手間を軽減することができる。
【０１１９】
なお、この第３実施形態では、管理者によって予め画像形成装置１向けに登録された「しおり項目」が、ユーザの通常操作によっては消去されない場合を例示したが、これに限定されない。たとえば、ユーザは、不要な「固定しおり項目」を所定の登録削除操作によって消去し自分用の任意数の「固定しおり項目」を残すカスタマイズ動作を行い、自分用にカスタマイズした任意数の「固定しおり項目」をサブ領域Ｒ２３に表示させるようにしてもよい。
【０１２０】
また、この第３実施形態では、各ユーザに共通の「固定しおり項目」が予め登録される場合を例示したが、これに限定されない。たとえば、ユーザごとに異なる「固定しおり項目」が予め登録されるようにしてもよい。ここでは、特に、画像形成装置１においては使用ユーザによる認証動作が行われるものとし、ログイン中のユーザ（ログインユーザ）が識別されているものとする。
【０１２１】
図２０は、このような変型例におけるデータテーブルＴＢ１を示す図である。このデータテーブルＴＢ１は、各ユーザの「固定しおり項目」の登録内容を示すデータテーブルであり、格納部５内に格納される。図２０においては、ユーザＵＡに関しては、「（片面＞）両面」（単に「両面」とも表記する）と「２ｉｎ１」との２つの項目が「固定しおり項目」として登録されている。また、ユーザＵＢに関しては、「ブラック」と「２ｉｎ１」と「４ｉｎ１」と「８ｉｎ１」と「両面」との５つの項目が「固定しおり項目」として登録されている。さらに、ユーザＵＣに関しては、「両面」と「２点ステープル」との２つの項目が「固定しおり項目」として登録されている。ユーザＵＤに関しても固有の「固定しおり項目」が登録されている。
【０１２２】
そして、このような「固定しおり項目」の登録内容に基づいて、ログインユーザに応じてサブ領域Ｒ２３の表示内容が変更される。たとえば、ログインユーザがユーザＵＡである場合には、その登録内容（「両面」および「２ｉｎ１」）に基づいて、図１８と同様の画面ＧＢ１６がプレビュー付き画面ＧＢ１として表示される。一方、ログインユーザがユーザＵＣである場合には、その登録内容（「両面」および「２点ステープル」）に基づいて、図２１に示すような画面ＧＢ１７がプレビュー付き画面ＧＢ１として表示される。そして、ユーザＵＣは、画面ＧＢ（ＧＢ１７等）を用いて、設定変更操作を行うことが可能である。なお、データテーブルＴＢ１（図２０）の内容は、管理者によって一括的に登録されてもよく、あるいは、各ユーザによって個別に登録されるようにしてもよい。
【０１２３】
以上のような変型例によれば、「固定しおり項目」をユーザごとに設定することができる。したがって、各ユーザは、自分の使用頻度の高い「しおり項目」を「固定しおり項目」として設定することなどによって、さらに操作性を向上させることができる。
【０１２４】
なお、ここでは、ユーザごとに固有の「固定しおり項目」を登録する場合を例示したが、これに限定されず、各ユーザの所属部門ごとに固有の「固定しおり項目」を登録するようにしてもよい。
【０１２５】
＜４．第４実施形態＞
上記各実施形態においては、ユーザあるいは管理者による登録操作（いわば手動操作）によって「しおり項目」が登録される場合について例示したが、本発明はこれに限定されない。たとえば、「しおり項目」が画像形成装置１において自動的に登録されるようにしてもよい。この第４実施形態においては、このような変型例について例示する。具体的には、操作者が「２点ステープル」をモード設定した場合に、画像形成装置１によって自動的にモード設定された２種類の項目（詳細には、「原稿セット方向（原稿の向き）」および「綴じ方向」）が「しおり項目」として自動的に登録される場合について例示する。換言すれば、画像形成装置１における自動設定動作（モード自動設定動作）によってその定内容が決定された２種類の設定項目が再設定の対象項目として決定され、しおり登録される場合について例示する。端的に言えば、操作者によるモード設定項目に関連する設定項目が自動モード設定される場合に、当該自動モード設定の対象項目（設定項目）が「しおり項目」として登録される場合について説明する。
【０１２６】
まず、図２２〜図２６を参照しながら、ユーザが「２点ステープル」をモード設定してコピージョブを実行する動作、および当該動作において生じ得る問題について説明する。なお、図２２〜図２６においては、「原稿の向き」がアルファベットの「Ａ」を用いて表現されている。また、これらの図２２〜２６においては、実際の「原稿の向き」（実際の向き）が濃色（黒色）の「Ａ」で表されており、画像形成装置が想定している「原稿の向き」（想定向き）が淡色（灰色）の「Ａ」で表されている。
【０１２７】
図２２は、ユーザＵＡによる目標印刷出力状態を示す図である。ここでは、ユーザＵＡは、図２２に示すように、縦長の原稿（詳細にはその複写物）の左側に「２点ステープル」を施すことを望んでいるものとする。
【０１２８】
また、この第４実施形態においては、「２点ステープル」のモード設定がユーザ操作に応じて実行されると、さらに、画像形成装置１は、「原稿セット方向（原稿の向き）」と「綴じ方向」とに関するモード設定を自動的に実行するものとする。具体的には、「原稿セット方向」に関しては、「上向き（０度）」、「下向き（１８０度）」、「左向き（２７０度）」、「右向き（９０度）」の４つの選択肢の中から、常に「上向き（０度）」が自動的に選択されて、モード設定が行われるものとする。なお、各「原稿のセット方向」は、図２２の状態を基準とする回転角度（たとえば、時計回りに０度、９０度、１８０度、２７０度）でも表現され得る。また、「綴じ方向」に関しては、「上綴じ」、「左綴じ」、「右綴じ」の３つの選択肢の中から、常に「左綴じ」が自動的に選択されてモード設定が行われるものとする。
【０１２９】
このように、ユーザＵＡによって「２点ステープル」のモード設定が行われると、画像形成装置１は、「原稿のセット方向」を「上向き」に自動設定するとともに、「綴じ方向」を「左綴じ」に自動設定する。そして、これらのモード設定に基づいて、印刷出力（コピー出力）動作が実行される。
【０１３０】
さて、ユーザＵＡが画像形成装置１の自動原稿送り装置（ＡＤＦ）に図２２と同じ向きで原稿を載置する場合には、画像形成装置１は、上向き原稿の左側の２点（詳細には左側上部および左側下部）においてそれぞれステープル処理を施すことにより、図２２に示すような目標の印刷出力物を出力する。この場合には、画像形成装置１が「原稿セット方向（原稿の向き）」と「綴じ方向」とを自動的に且つ正確に認識して、適切なモード設定が行われるため、目標とする印刷出力物が適切に印刷出力される。ユーザＵＡは、詳細な設定操作を行うことなく適切な印刷出力物を得ることができるため、非常に高い操作性を得ることができる。
【０１３１】
しかしながら、図２３に示すようにユーザＵＡが画像形成装置１の自動原稿送り装置（ＡＤＦ）に図２２とは異なる向き（具体的には、時計回りに９０度回転させた向き）で原稿を載置する場合には、画像形成装置１は原稿の向きを誤認する。具体的には、ＡＤＦ上での実際の向きは「右向き（９０度）」である（図２３）にもかかわらず、画像形成装置１は、「原稿のセット方向」を「上向き」に自動設定し、原稿の向きを「上向き（０度）」と認識（図２４）する。そして、この誤認結果（図２４）を前提として、図２５に示すように、「左側（淡色「Ａ」の左側）」の２つの位置にステープル処理を施す。ところが、図２６に示すように、ステープル処理が施された当該位置は、実際には原稿の「下側」（濃色「Ａ」の下側）である。そのため、画像形成装置１は、図２５のような印刷出力状態を想定しているが、実際には図２７のような印刷出力物（原稿の下側に２点ステープルが施された印刷出力物）が得られることになる。
【０１３２】
この第４実施形態においては、このような事態を回避すべく、モード設定の変更を簡易に行うことが可能な技術について例示する。具体的には、操作者が「２点ステープル」をモード設定した場合に、画像形成装置１は、自動設定動作によって２種類の項目（「原稿セット方向（原稿の向き）」および「綴じ方向」）の設定内容を自動的に決定するとともに、当該２種類の項目を「しおり項目」として自動的に登録する。ユーザは、自動登録された「しおり項目」（たとえば、しおり項目「原稿セット方向」）を用いることによって、モード設定変更操作を簡易に行うことができる。
【０１３３】
図２８は、第４実施形態に係る動作を示すフローチャートである。図２８を参照しながら、詳細な動作例について説明する。図２８は、図２と同様であるが、ステップＳ１２とステップＳ１３との間にてステップＳ３１，Ｓ３２の処理が実行される点などにおいて相違する。以下では、相違点を中心に説明する。
【０１３４】
まず、ステップＳ１１において、モード設定動作等が実行される。
【０１３５】
具体的には、ユーザＵＡがしおり登録ボタンＢＮ１（図３）を押下すると、画像形成装置１は、しおり登録ボタンＢＮ１の押下操作を「しおり登録処理」の開始指示とみなして、しおりの登録操作の受け付けを開始する。その後、ユーザは、上記第１実施形態と同様にして「フルカラー」に関するモード設定操作を行うとともに、さらに「２点ステープル」に関するモード設定操作をも行うものとする。画像形成装置１は、ユーザによる当該モード設定操作に応じて、「フルカラー」と「２点ステープル」とに関して、それぞれ、しおり登録動作とモード設定動作とを実行する。
【０１３６】
ここにおいて、ユーザＵＡによる「２点ステープル」のモード設定動作に応じて、画像形成装置１は、「原稿セット方向（原稿の向き）」と「綴じ方向」とに関するモード設定を付加的に（且つ自動的に）実行する。具体的には、上述のように、画像形成装置１は、「原稿のセット方向」を「上向き」に自動設定するとともに、「綴じ方向」を「左綴じ」に自動設定する。このように、「２点ステープル」に関するモード設定動作には、付加的な自動モード設定動作が付随する。そのため、「２点ステープル」に関するモード設定動作は、「自動設定付随動作」であるとも表現される。なお、当該自動モード設定動作における認識内容に誤りが存在する場合には、上述のような問題が生じる。
【０１３７】
ユーザＵＡは、上記のようにして２つの項目（「フルカラー」および「２点ステープル」）に関する設定動作を終えると、自動原稿送り装置（ＡＤＦ）に原稿を載置し、プレビューボタンＢＮ５を押下する。ここでは、自動原稿送り装置（ＡＤＦ）にて右向きに原稿が載置された状態（図２３参照）で、プレビューボタンＢＮ５が押下されるものとする。
【０１３８】
画像形成装置１は、プレビューボタンＢＮ５の押下操作に応答して、原稿を光学的に読み取り、コピー用画像を生成する（ステップＳ１２）。
【０１３９】
次のステップＳ３１においては、画像形成装置１は、ステップＳ１１におけるモード設定動作において、「自動設定付随動作」が行われているか否かを判定する。たとえば、「２点ステープル」に関するモード設定動作は、「原稿セット方向」と「綴じ方向」とに関する「自動設定付随動作」であると判定される。
【０１４０】
そして、モード設定動作（ステップＳ１１）にて「自動設定付随動作」が行われていると判定される場合には、ステップＳ３１からステップＳ３２に進む。一方、「自動設定付随動作」が行われていないと判定される場合には、ステップＳ３２を経由せずに直ちにステップＳ１３に進む。
【０１４１】
ステップＳ３２においては、画像形成装置１は、「自動設定付随動作」に対応する設定項目を「しおり項目」として自動的に登録する。具体的には、「２点ステープル」に関しては、２つの設定項目（「原稿セット方向」および「綴じ方向」）が「しおり項目」として自動的に登録される。換言すれば、画像形成装置１における自動設定動作によってその設定内容が決定された当該２つの設定項目が、再設定用の対象項目（「しおり項目」）として決定され登録される。
【０１４２】
そして、ステップＳ１３（Ｓ１３ｂ）において、プレビュー付き画面ＧＢ１（ＧＢ１８）（図２９）がタッチスクリーン６３に表示される。
【０１４３】
このプレビュー付き画面ＧＢ１８のプレビュー表示領域Ｒ１内のプレビュー画像ＰＶにおいては、「フルカラー」設定且つ「２点ステープル」設定がなされていることが示されている。
【０１４４】
また、プレビュー付き画面ＧＢ１８のしおり表示領域Ｒ２においては、サブ領域Ｒ２５，Ｒ２６が設けられている。サブ領域Ｒ２６は、ユーザによってジョブごとに決定された「しおり項目」を表示する領域である。図２９においては、サブ領域Ｒ２６において、「フルカラー」と「２点ステープル」との２つの設定項目が、ユーザによって当該ジョブに対して登録された「しおり項目」として表示されている。一方、サブ領域Ｒ２５は、「自動設定付随動作」に対応する設定項目であるとして、自動的に登録された「しおり項目」を表示する領域である。サブ領域Ｒ２５においては、「原稿セット方向」と「綴じ方向」との２つの設定項目が、自動登録された「しおり項目」として表示されている。
【０１４５】
図２９に示すように、このプレビュー画像ＰＶは、ユーザＵＡが意図している目標印刷出力物の画像とは異なる画像である。これは、上述のように、ユーザＵＡが自動原稿送り装置（ＡＤＦ）に右向きに原稿を載置したことを、画像形成装置１が正しく認識できていないことなどに起因する。すなわち、「２点ステープル」（「自動設定付随動作」）に関連する自動設定内容に誤りが存在することに起因する。
【０１４６】
その後、ステップＳ１４以降と同様の動作が実行される。
【０１４７】
ユーザＵＡは、プレビュー画像ＰＶを見て、「２点ステープル」に関連する２つの設定項目（「原稿のセット方向」および「綴じ方向」）の自動設定内容に誤りが存在すると判定すると、しおり表示領域Ｒ２のメニュー画像ＭＮ内の「しおり項目」を用いて、モード設定操作を実行することができる。一方、プレビュー画像ＰＶを見て、自動設定内容が正しいと判定される場合にはそのままスタートボタンＢＮ９を押下する。
【０１４８】
以下では、ユーザＵＡが「２点ステープル」に関して画像形成装置１による自動設定内容に誤りが存在すると判定する場合についてさらに説明する。
【０１４９】
ユーザＵＡが「原稿セット方向（原稿の向き）」ボタンＢＴ５６（図２９）を押下すると、画像形成装置１は、当該押下操作に応答して、当該押下対象のボタンＢＴ５６に対応する設定項目の詳細設定画像（新たなメニュー画像ＭＮ）をしおり表示領域Ｒ２に表示する。具体的には、「原稿のセット方向」に関する詳細設定用のメニュー画像ＭＮ（図３０参照）がしおり表示領域Ｒ２に表示される。詳細には、「原稿セット方向」を設定するためのボタン（「上（０度）」ボタンＢＴ６１、「下（１８０度）」ボタンＢＴ６２、「左（２７０度）」ボタンＢＴ６３、「右（９０度）」ボタンＢＴ６４）を有するメニュー画像ＭＮがしおり表示領域Ｒ２に表示される。
【０１５０】
また、ユーザＵＡは、この詳細設定画像を用いて設定変更操作を行うことができる。たとえば、「原稿セット方向」を「上（０度）」から「右（９０度）」に設定変更（モード再設定）することができる。詳細には、ユーザＵＡは、「右」ボタンＢＴ６４を押下することによって「右」を選択状態（且つ「上」を非選択状態）にし、その後に「更新」ボタンＢＴ４９を押下する。このようにして、しおり項目「原稿セット方向」に関する再設定動作（ステップＳ１６）が行われる。
【０１５１】
画像形成装置１は、「更新」ボタンＢＴ４９の押下操作に応答して、設定変更操作後の設定内容（再設定項目に関する再設定後の設定内容）に基づいてプレビュー画像ＰＶを更新し、更新後のプレビュー画像ＰＶをプレビュー表示領域Ｒ１に表示する（ステップＳ１７）。この結果、図３０のような更新後の画面ＧＢ３（ＧＢ３８）がタッチスクリーン６３に表示される。更新後のプレビュー画像ＰＶにおいては、２点ステープルの位置が原稿の「下側」から「左側」へと変更されている。ユーザＵＡは、画面ＧＢ３内のプレビュー画像ＰＶを視認することにより、２点ステープルの位置が適切に変更されたことを確認することができる。
【０１５２】
その後、適宜のタイミングでスタートボタンＢＮ９が押下されると、処理対象画像が再設定後の設定内容に基づいて印刷出力される（ステップＳ１８）。この結果、ユーザＵＡは、図２２に示すような目標印刷出力状態の印刷出力物を得ることができる。
【０１５３】
以上のように、プレビュー付き画面ＧＢ１８（図２９）においては、「２点ステープル」に関連して自動設定された２つの設定項目（「原稿セット方向」および「綴じ方向」）が「しおり項目」として自動的に表示される。したがって、ユーザＵＡは、自ら登録する手間を要することなく登録された「しおり項目」を用いて、簡易に設定変更を行うことが可能である。換言すれば、画像形成装置によって自動的に設定された設定項目の内容をユーザが簡易に変更することが可能である。特に、画像形成装置による誤認をユーザが容易に修正することが可能である。
【０１５４】
なお、上記においては、ステップＳ１１においてモード設定動作としおり登録動作とを実行する場合を例示しているが、これに限定されない。たとえば、ステップＳ１１においてモード設定動作のみを行うようにしてもよい。具体的には、「フルカラー」および「２点ステープル」に関して、モード設定動作のみを実行し、しおり登録動作を実行しないようにしてもよい。そして、自動設定項目（「２点ステープル」）に関連する「しおり項目」（「原稿セット方向」および「綴じ方向」）の自動登録動作（ステップＳ３１，Ｓ３２）を行うようにしてもよい。この場合、図２９においてサブ領域Ｒ２６内のボタン（あるいはサブ領域Ｒ２６自体）は表示されないが、サブ領域Ｒ２５内のボタンＢＴ５６，ＢＴ５７は上記第４実施形態と同様に表示される。したがって、上記第４実施形態と同様の効果を得ることが可能である。
【０１５５】
＜５．変形例等＞
以上、この発明の実施の形態について説明したが、この発明は上記説明した内容のものに限定されるものではない。
【０１５６】
＜使用期待度（予想使用頻度）＞
たとえば、上記第１実施形態および第２実施形態においては、ユーザによって、しおり登録が手動で行われる場合を例示した。このような場合において、複数の「しおり項目」を所定の基準で分類して登録し、その分類結果に応じて当該複数の「しおり項目」をプレビュー付き画面ＧＢ１（ＧＢ４とも表記する）のメニュー画像ＭＮ内に分類表示するようにしてもよい（図３２参照）。分類基準としては、ユーザによる使用期待度（ユーザによる使用頻度の期待値）等が例示される。この「使用期待度」は、使用頻度の予測値、あるいは、予想使用頻度などとも表現される。
【０１５７】
図３１は、このような変型例に係る登録用画面ＧＡ４（ＧＡ４１）を示す図であり、図３２は、当該変型例に係るプレビュー付き画面ＧＢ４（ＧＢ４１）を示す図である。
【０１５８】
登録用画面ＧＡ４（図３１）は、画面ＧＡ１の「両面／集約」ボタンＢＴ１４（図３）の押下に応答して、タッチスクリーン６３に表示される画面である。
【０１５９】
この画面ＧＡ４においては、「両面」、「２ｉｎ１」、「４ｉｎ１」、「８ｉｎ１」などの各種のモード設定用のボタンが設けられている。ユーザは、当該画面ＧＡ４を用いて当該各種のモード設定を行うことが可能である。具体的には、画面ＧＡ４内に設けられた期待度指定ボタン（「大」、「中」、「小」）ＢＴ７１，ＢＴ７２，ＢＴ７３のいずれかを、設定項目ボタンに引き続いて押下してＯＫボタンを押下することによって、当該設定項目ボタンに対応する設定項目を設定（モード設定）するとともに、当該設定項目を「しおり項目」としても登録する。また、「しおり項目」が登録される際には、期待度指定ボタンＢＴ７１〜ＢＴ７３による指定内容に基づく使用期待度が、当該しおり項目に関連して登録される。
【０１６０】
具体的には、「（片面＞）両面」ボタンＢＴ１４２と期待度「大」ボタンＢＴ７１とＯＫボタンＢＴ２９とが押下されることによって、項目「両面」が使用期待度「大」の項目として分類されて登録される。また、「２ｉｎ１」ボタンＢＴ１４６と期待度「大」ボタンＢＴ７１とＯＫボタンＢＴ２９とが押下されることによって、項目「２ｉｎ１」が使用期待度「大」の項目として分類されて登録される。同様に、「４ｉｎ１」ボタンＢＴ１４７と期待度「中」ボタンＢＴ７２とＯＫボタンＢＴ２９とが押下されることによって、項目「４ｉｎ１」が使用期待度「中」の項目として分類されて登録される。また、「８ｉｎ１」ボタンＢＴ１４８と期待度「小」ボタンＢＴ７３とＯＫボタンＢＴ２９とが押下されることによって、項目「８ｉｎ１」が使用期待度「小」の項目として分類されて登録される。このようにして、複数の「しおり項目」が使用期待度（予想使用頻度）に応じて分類して登録される。
【０１６１】
そして、プレビューボタンＢＮ５の押下後においては、図３２に示すようなプレビュー付き画面ＧＢ４（ＧＢ４１）がタッチスクリーン６３に表示される。この画面ＧＢ４１のしおり表示領域Ｒ２内においては、２つのしおり項目（「両面」および「２ｉｎ１」）が期待度「大」に分類されて表示されており、しおり項目「４ｉｎ１」が期待度「中」に分類されて表示されており、しおり項目「８ｉｎ１」が期待度「小」に分類されて表示されている。詳細には、期待度「大」のしおり項目はサブ領域Ｒ６１に表示されており、期待度「中」のしおり項目はサブ領域Ｒ６２に表示されており、期待度「小」のしおり項目はサブ領域Ｒ６３に表示されている。このように、しおり表示領域Ｒ２（詳細にはメニュー画像ＭＮ）内において、複数の「しおり項目」が予想使用頻度に応じて分類されて表示されている。
【０１６２】
ユーザは、これらのしおり項目を用いて、処理対象画像に関する設定変更操作を行うとともに、その設定変更結果をプレビュー画像ＰＶで直ちに確認することができる。特に、再設定用の設定項目である「しおり項目」が、使用期待度（予想使用頻度）に応じて分類されているので、ユーザは所望の「しおり項目」を見付け出し易い。
【０１６３】
なお、ここでは、「使用期待度」に応じた「しおり項目」がモード設定と同時にユーザによって手動で登録される場合を例示したが、これに限定されない。「しおり項目」に関する上記のような分類登録動作は、ユーザによってジョブの実行前に予め実行されるようにしてもよい。たとえば、コピージョブの実行前の所定時点（詳細には初期登録時点等）において、各ユーザによる所定の操作に応じて所定の登録用画面（図３１と同様の画面）が呼び出され、当該コピージョブに先立って分類登録動作が予め行われるようにしてもよい。また、その後にコピージョブが実行される際にプレビューボタンＢＮ５の押下等に応答して、図３２と同様のプレビュー付き画面ＧＢ４が表示されるようにしてもよい。これによれば、分類登録された複数の「しおり項目」（「固定しおり項目」）の分類登録結果が、複数のジョブにおいて共通に利用され得る。特に、このような場合には、ジョブごとに分類登録動作を行うことを要しないので、登録の手間を軽減しつつ、「使用期待度」に応じた複数の「しおり項目」を適切に利用することが可能である。特に、ユーザは、複数のジョブに共通に表示される「使用期待度」を有効に利用して、所望の「しおり項目」を見出すことが可能である。
【０１６４】
また、ここでは、「使用期待度」に応じた「しおり項目」がユーザによって登録される場合を例示したが、これに限定されない。たとえば、「使用期待度」に応じた「しおり項目」が管理者によって登録されるようにしてもよい。この場合には、ユーザはジョブごとにしおり登録することを要しないので、ユーザの手間を軽減することもできる。
【０１６５】
＜省資源しおり＞
また、上記第３実施形態等においては、管理者等によって画像形成装置１に固有の「しおり項目」（固定しおり項目）が処理対象ジョブの開始前において当該画像形成装置に予め登録される場合を例示した。このような「固定しおり項目」として、省資源に寄与する設定項目が予め登録されるようにしてもよい。たとえば、「両面」、「２ｉｎ１」、「４ｉｎ１」、「８ｉｎ１」など印刷用紙の使用枚数を削減し省資源に寄与する設定項目が、「省資源推進しおり項目」などとして画像形成装置１に予め登録されるようにしてもよい。あるいは、「ブラック」などトナー総使用量を削減し省資源に寄与する設定項目が、「省資源推進しおり項目」などとして画像形成装置１に予め登録されるようにしてもよい。なお、省資源に寄与する上記のようなしおり項目は、「省資源推進しおり項目」などとも称される。
【０１６６】
図３３は、このような「省資源推進しおり項目」がしおり表示領域Ｒ２内に表示されたプレビュー付き画面ＧＢ４（ＧＢ４２）を示す図である。ここでは、画像形成装置１に登録されている「省資源推進しおり項目」がプレビュー付き画面ＧＢ４２に常に表示されるものとする。
【０１６７】
図３３の画面ＧＢ４２は、しおり表示領域Ｒ２内にサブ領域Ｒ５５，Ｒ５６を有している。
【０１６８】
サブ領域Ｒ５６は、上記第１あるいは第２実施形態等と同様にしてユーザによってジョブごとに決定された「しおり項目」、を示す領域である。サブ領域Ｒ５６においては、「フルカラー」と「コーナーステープル」との２つの設定項目が、ユーザによって当該ジョブに対して登録された「しおり項目」として表示されている。
【０１６９】
一方、サブ領域Ｒ５５は、装置１に予め登録された「省資源推進しおり項目」を示す領域である。サブ領域Ｒ５５においては、「（片面＞）両面」と「２ｉｎ１」と「４ｉｎ１」の３つの設定項目が、「省資源推進しおり項目」（図では、＜省エネ＞と表記）として表示されている。
【０１７０】
ユーザＵＡは、この画面ＧＢ４２を用いて、モード再設定動作等を画像形成装置１に実行させることが可能である。たとえば、サブ領域Ｒ５５内の「省資源推進しおり項目」である「４ｉｎ１」を用いて、「１ｉｎ１」を「４ｉｎ１」に変更する設定動作（再設定動作）を行うことが可能である。
【０１７１】
これによれば、ユーザは、「省資源推進しおり項目」を利用して簡易に設定変更操作を実行し、省資源化を推進することができる。特に、「省資源推進しおり項目」が予めしおり登録されているため、「省資源推進しおり項目」の利用に際して、ユーザはジョブごとにしおり登録することを要しないので、ユーザの手間が軽減される。
【０１７２】
なお、ここでは、「省資源推進しおり項目」が画像形成装置１に予め登録されており且つ画面ＧＢ１に常に表示される場合を例示したが、これに限定されない。たとえば、「省資源推進しおり項目」の表示の有無がユーザの要求に応じて切り換えられるようにしてもよい。具体的には、初期設定においては「省資源推進しおり項目」は画面ＧＢ１には表示されず、所定の操作（画像形成装置１の省エネモードボタン（不図示）の押下操作等）に応じて「省資源推進しおり項目」が画面ＧＢ１に表示されるようにしてもよい。換言すれば、所定の操作（画像形成装置１の省エネモードボタン（不図示）の押下操作等）に応じて「省資源推進しおり項目」が「しおり登録」されるようにしてもよい。特に、当該操作に応じて複数の「省資源推進しおり項目」が一括的に登録され表示されることが好ましい。
【０１７３】
このようにユーザの操作入力に応じて「省資源推進しおり項目」の表示の有無等を切り換えることによれば、ユーザの意思を反映させることができる。特に、ユーザが多数の「しおり項目」の存在を望まない場合には、メニュー画像ＭＮ内のしおり項目の数を抑制することも可能である。
【０１７４】
＜しおり履歴情報の利用＞
また、「しおり項目」の選択手法は、上述のものに限定されない。たとえば、過去に登録され利用されたしおり情報（しおり履歴情報ないし登録履歴情報とも称される）を、新たなジョブにおいて利用するようにしてもよい。なお、以下では、複数のしおり項目に関するしおり履歴情報ＭＡが、ジョブの実行ごとに更新されて格納部５に記録されているものとする。そして、複数のジョブの実行後に或るジョブＪＢ０を実行する際に、当該複数のジョブに関するしおり履歴情報（過去のしおり情報）を用いて再設定動作等を行う場合について例示する。
【０１７５】
具体的には、複数のジョブの実行後に或るジョブＪＢ０が実行される際に、まずユーザＵＡが操作パネル部６０内のしおり履歴ボタンＢＮ２（図３４）を押下すると、画像形成装置１は、しおり履歴情報ＭＡを含む履歴情報表示画面ＧＣを、タッチスクリーン６３に表示する。
【０１７６】
図３４は、しおり履歴情報ＭＡ等を示す図である。図３４に示すように、しおり履歴情報ＭＡは、画像形成装置１の各ユーザによって「しおり」登録操作を伴って実行された複数のジョブの履歴情報を有している。具体的には、各ジョブについて、ジョブの実行日の日付、ジョブの実行ユーザ名、当該ジョブにおいて実際に設定されたモード名、当該ジョブにおいて登録されたしおり項目名などが記録されている。
【０１７７】
たとえば、図３４のしおり履歴情報ＭＡの最上段（「Ｎｏ．１」）においては、ユーザＵＡが２００９年９月２５日に実行したジョブが示されている。また、当該ジョブにおいては、「両面」と「コーナーステープル」と「２点ステープル」との３つのしおり項目が登録され、そのうち実際には２つのしおり項目（「両面」、「コーナーステープル」）のモード設定が行われ、当該モード設定の設定内容を用いてジョブが実行されたことが記載されている。
【０１７８】
同様に、当該しおり履歴情報ＭＡの第２段（「Ｎｏ．２」）においては、ユーザＵＢが２００９年９月２６日に実行したジョブが示されている。また、当該ジョブにおいては、「フルカラー」と「２ｉｎ１」との２つのしおり項目が登録され、そのうち、実際には当該２つのしおり項目のうちの１つのしおり項目「フルカラー」のモード設定内容を用いてジョブが実行されたことが記載されている。
【０１７９】
このように、履歴情報表示画面ＧＣには、しおり履歴情報（登録履歴情報）に含まれる複数のジョブの履歴情報が表示される。そして、次述するように、当該履歴情報表示画面ＧＣを用いて、当該複数のジョブのうち参照すべきジョブである参照ジョブの指定入力が受け付けられる。
【０１８０】
具体的には、ユーザは、当該しおり履歴情報ＭＡを閲覧し、所望の設定に近いジョブ（ＪＢ１等）を参照ジョブとして選択する。より詳細には、ユーザは、実行対象のジョブＪＢ０に類似するジョブＪＢ１を、当該しおり履歴情報ＭＡの中から検索して選択する選択操作を実行する。
【０１８１】
たとえば、ユーザＵＡが、現在実行しようとしているジョブＪＢ０に類似するジョブＪＢ１を少し前（２００９年９月２５日等）に自ら実行したこと、を記憶している場合を想定する。この場合、ユーザＵＡは、自らの記憶等に基づいて、類似ジョブ（しおり履歴情報ＭＡ内の「Ｎｏ．１」のジョブ等）ＪＢ１をしおり履歴情報ＭＡの中から検索して参照ジョブとして選択する。そして、ユーザＵＡは、タッチスクリーン６３のＮｏ．１のしおり欄を押下する。その後、ユーザＵＡがプレビューボタンＢＮ５をさらに押下すると、画像形成装置１は、自動原稿送り装置（ＡＤＦ）に載置されていた原稿を読み取り、図３５に示すような画面ＧＢ１（ＧＢ１９）をタッチスクリーン６３に表示する。
【０１８２】
画面ＧＢ１９においては、ジョブ履歴内の参照ジョブＪＢ１において実際に設定されていたモード設定内容に基づくプレビュー画像ＰＶが生成されて表示されている。ここにおいて、画像形成装置１は、参照ジョブＪＢ１で設定されていたモード設定（「両面」および「コーナーステープル」）を、ジョブＪＢ０に対しても適用するものとする。また、画像形成装置１は、参照ジョブＪＢ１にて登録されていた３つのしおり項目（「両面」、「コーナーステープル」、「２点ステープル」）（詳細にはボタンＢＴ８１，ＢＴ８２，ＢＴ８３）を画面ＧＢ１９のメニュー画像ＭＮ内に表示する。
【０１８３】
その後、ユーザは、プレビュー画像ＰＶに基づいて所望の内容が設定されているか否かを確認することができる。現在のジョブＪＢ０に関する所望の設定内容が過去のジョブＪＢ１の設定内容と全く同じ設定内容である場合には、ユーザＵＡは、このままスタートボタンＢＮ９を押下することによって、所望の印刷出力物を得ることができる。
【０１８４】
一方、現在のジョブＪＢ０に関する所望の設定内容が、過去のジョブＪＢ１の設定内容と一部異なる場合には、ユーザＵＡは、メニュー画像ＭＮ内の「しおり項目」を用いて再設定動作を実行することが可能である。換言すれば、履歴情報に基づいて類似の設定内容を利用することが可能である。
【０１８５】
たとえば、しおり項目「２点ステープル」を利用することによれば、第２実施形態と同様の再設定動作を実行することが可能である。あるいは、しおり項目「両面」を利用することによれば、次のような再設定動作を実行することもできる。
【０１８６】
具体的には、ユーザＵＡがしおり表示領域Ｒ２内のしおり項目「両面」ボタンＢＴ８１を押下すると、画像形成装置１は、画面ＧＢ内のメニュー画像ＭＮを更新する。具体的には、「両面」をモード設定する「設定」ボタンＢＴ８４と「両面」のモード設定を解除する「解除」ボタンＢＴ８５とを有するメニュー画像ＭＮ（図３６参照）がタッチスクリーン６３に表示される。なお、この時点では、プレビュー画像ＰＶは未だ更新されていない。
【０１８７】
そして、ユーザＵＡが解除ボタンＢＴ８５を押下し、さらに更新ボタンＢＴ４９をさらに押下すると、画像形成装置１は、再設定内容に応じた（更新後の）プレビュー画像ＰＶを生成する。そして、画像形成装置１は、プレビュー表示領域Ｒ１内のプレビュー画像ＰＶを更新して、図３６に示すような画面ＧＢ３（ＧＢ３９）をタッチスクリーン６３に表示する。画面ＧＢ３９（図３６）のプレビュー表示領域Ｒ１内においては、「両面」を模式的に示すプレビュー画像ＰＶではなく、「片面」を模式的に示すプレビュー画像ＰＶが表示されている。これにより、ユーザＵＡは、設定変更後の内容を知得することができる。
【０１８８】
以上のように、ユーザＵＡは、実行対象のジョブＪＢ０に類似するジョブＪＢ１を、当該しおり履歴情報ＭＡの中から検索して選択し、当該ジョブＪＢ１にて登録された「しおり項目」を利用することが可能である。したがって、過去の履歴情報を有効活用することができる。
【０１８９】
あるいは、同様にして、ユーザＵＡが新たなジョブＪＢ０を実行する場合において、当該新たなジョブに類似するジョブＪＢ２であって他人（たとえばユーザＵＢ）が過去に実行したジョブＪＢ２、が存在することをユーザＵＡが知得した場合には、当該類似ジョブＪＢ２に関するしおりを利用することも可能である。
【０１９０】
＜しおり非表示＞
また、上記第３実施形態等においては、複数の「しおり項目」が画像形成装置１に固定的に記録される場合について例示した。しかしながら、特に多数の「しおり項目」がメニュー画像ＭＮに表示されると、操作者が所望の選択肢を探し難くなることがある。また、しおり表示領域Ｒ２の面積は限定されているため、多数の「しおり項目」を表示しようとすると、各「しおり項目」の大きさが小さくなる。
【０１９１】
そこで、「しおり使用情報」に基づき、一部の「しおり項目」を削除することによって、限られた大きさのメニュー画像ＭＮをさらに有効に利用するように改変することもできる。たとえば、しおり登録部１２が、しおり使用情報ＭＢに基づいて、複数のしおり項目のうち所定の条件を満たす「しおり項目」を「不要なしおり項目」である判定し、当該不要なしおり項目をメニュー画像ＭＮ内での表示対象項目（メニュー画像ＭＮ内での表示対象とすべきしおり項目）から除外するようにすればよい。なお、以下では、当該しおり使用情報ＭＢが、ジョブの実行ごとに更新されて格納部５に記録されるものとする。また、ここでは、不要しおり削除指示（不要なしおり項目を削除すべき旨の指示）がユーザ操作によって付与され、当該不要しおり削除指示に応答して、「しおり項目」の削除動作が実行されるものとする。
【０１９２】
図３７は、しおり使用情報ＭＢを記録したデータテーブルの内容を示す図である。図３７に示すように、このしおり使用情報ＭＢにおいては、各しおり項目の過去の使用状況が示されている。たとえば、「両面」に関しては、総使用回数が「１５０」回であり、過去２ヶ月の使用回数が「５０」回であり、最終使用日が「２００９年９月２６日」であることが記録されている。
【０１９３】
画像形成装置１は、ユーザ操作によって付与された不要しおり削除指示に応答して、「しおり使用情報」に基づき、所定の条件を充足する「しおり項目」を検索して抽出する。「しおり項目」に関する当該所定の条件としては、たとえば、「過去２ヶ月間の使用回数が５回以下である」旨の条件と「最終使用日から１ヶ月経過している」旨の条件とのいずれかを満たすことなどが例示される。
【０１９４】
図３７のしおり使用情報においては、しおり項目「コーナーステープル」は、その使用回数が４回であるため、「過去２ヶ月間の使用回数が５回以下である」との条件を充足する。そのため、画像形成装置１は、このしおり項目「コーナーステープル」を、表示対象項目から除外（削除）すべきものとして決定する。また、現在が２００９年９月２６日であると仮定すると、しおり項目「フルカラー」は、その最終使用日が２００９年６月２９日であるため、「最終使用日から１ヶ月経過している」との条件を充足する。そのため、画像形成装置１は、このしおり項目「フルカラー」をも、表示対象項目から除外（削除）すべきものとして決定する。
【０１９５】
図３７においては、判断結果が最右欄に記載されている。このような判断結果に基づき、「コーナーステープル」と「フルカラー」との２つのしおり項目は、メニュー画像ＭＮ内での表示対象項目から除外（削除）される。一方、上記の条件を充足しない残りの項目「両面」および「２ｉｎ１」は、メニュー画像ＭＮ内での表示対象項目として維持される。
【０１９６】
これによれば、複数の「しおり項目」のうち、所定の条件を充足するしおり項目が（不要であると判定され）メニュー画像ＭＮに表示されなくなり、比較的少数の残りの「しおり項目」のみが表示されるので、しおり表示領域Ｒ２（メニュー画像ＭＮ）を有効に利用することができる。
【０１９７】
なお、ここでは、特定の「しおり項目」が所定の条件を充足する場合には、当該特定の「しおり項目」をしおり表示領域Ｒ２に表示しないこと（当該特定のしおり項目を非表示にすること）のみを決定し、特定の「しおり項目」をデータテーブル内には残存させたまま表示対象項目から除外（削除）する場合を例示したが、これに限定されない。所定の条件を充足する「しおり項目」を画像形成装置１のデータテーブル自体からも削除するようにしてもよい。
【０１９８】
また、ここでは、不要しおり削除指示がユーザ操作によって付与される場合を例示したが、これに限定されない。たとえば、画像形成装置１が定期的な（あるいは不定期の）所定のタイミングで自動的に上記のような除外動作を実行するようにしてもよい。
【０１９９】
＜一時的拡大＞
上記各実施形態においては、プレビュー付き画面ＧＢにおいて、メニュー画像ＭＮとプレビュー画像ＰＶとが常に同時並列的に表示される場合を例示したが、これに限定されない。たとえば、メニュー拡大ボタンＢＮ４（図３８）の押下操作に応答して、プレビュー画像ＰＶを一時的に消去して、メニュー画像ＭＮを拡大表示するようにしてもよい。
【０２００】
詳細には、図３８のようなプレビュー付き画面ＧＢ４（ＧＢ４３）が表示された状態において、メニュー拡大ボタンＢＮ４が押下されると、画像形成装置１は、プレビュー付き画面ＧＢ１に代えて、メニュー拡大表示画面ＧＤ（図３９）をタッチスクリーン６３に表示するようにしてもよい。メニュー拡大表示画面ＧＤにおいては、プレビュー画像ＰＶは表示されず、代わりにメニュー画像ＭＮが拡大されタッチスクリーン６３のほぼ全域に亘って表示されている。なお、「戻る」ボタンＢＴ５９が押下されると、タッチスクリーン６３における表示状態は、図３８のプレビュー付き画面ＧＢ１が表示されている元の状態に復帰する。また、図３９の拡大メニュー画像ＭＮ内に表示されたボタンＢＴ９１〜ＢＴ９４を用いて設定変更が行われた場合には、復帰後のプレビュー付き画面ＧＢ１においては、当該設定変更後のプレビュー画像ＰＶ（再設定内容を反映したプレビュー画像ＰＶ）が表示される。
【０２０１】
これによれば、ユーザがメニュー画像を一時的に拡大表示させたい場合には、当該ユーザの希望に応じることも可能である。
【０２０２】
＜その他＞
上記各実施形態においては、コピージョブについて説明したが、これに限定されない。たとえば、画像形成装置１の格納部５の所定領域（ボックス）内に格納された文書データ等を印刷出力する場合（いわゆるボックス印刷ジョブを実行する場合）にも上記の思想を適用することができる。
【０２０３】
また、上記各実施形態においては、「しおり項目」自体もしくは「しおり項目」の下位階層に関するメニュー項目が画面ＧＢ１のメニュー画像ＭＮ等に表示される場合を例示したが、これに限定されない。
【０２０４】
たとえば、「しおり項目」の上位階層に関するメニュー項目も画面ＧＢ１のメニュー画像ＭＮ等に表示され得るようにしてもよい。詳細には、「コーナーステープル」がしおり登録される場合、画面ＧＢ１のメニュー画像ＭＮ内の「コーナーステープル」ボタンＢＴ４２（図７）を押下すると、図８の左上ボタンＢＴ４６、右上ボタンＢＴ４７、解除ボタンＢＴ４８に加えて、比較的上位の「ステープル」項目に関するメニュー項目を呼び出す選択肢も表示されるようにすればよい。当該「ステープル」項目には別項目の「２点ステープル」の設定項目も含まれるものとする。これによれば、多数の種類の設定変更を簡易に実行すること、すなわち、設定変更における選択の幅を簡易に広げることが可能である。
【０２０５】
あるいは、「しおり項目」の同一階層に関するメニュー項目も画面ＧＢ１のメニュー画像ＭＮ等に表示され得るようにしてもよい。詳細には、画面ＧＢ１のメニュー画像ＭＮ内の「コーナーステープル」ボタンＢＴ４２（図７）を押下すると、ボタンＢＴ４６〜ＢＴ４８に加えて、同一階層の別項目「２点ステープル」の選択肢も表示されるようにしてもよい。これによっても、多数の種類の設定変更を簡易に実行することが可能である。
【符号の説明】
【０２０６】
１  画像形成装置
６０  操作パネル部
６１  ハードキー
６３  タッチスクリーン
ＧＡ  登録用画面
ＧＢ  メニュー画面
ＧＣ  履歴情報表示画面
ＧＤ  メニュー拡大表示画面
ＭＡ  履歴情報
ＭＢ  使用情報
ＭＮ  メニュー画像
ＰＶ  プレビュー画像
Ｒ１  プレビュー表示領域
Ｒ２  しおり表示領域（再設定項目表示領域）
【図１】
2011234264.tif 000003
【図２】
2011234264.tif 000004
【図３】
2011234264.tif 000005
【図４】
2011234264.tif 000006
【図５】
2011234264.tif 000007
【図６】
2011234264.tif 000008
【図２０】
2011234264.tif 000009
【図２２】
2011234264.tif 000010
【図２３】
2011234264.tif 000011
【図２７】
2011234264.tif 000012
【図２８】
2011234264.tif 000013
【図３１】
2011234264.tif 000014
【図３４】
2011234264.tif 000015
【図３７】
2011234264.tif 000016
【図３９】
2011234264.tif 000017
【図７】
2011234264.tif 000018
【図８】
2011234264.tif 000019
【図９】
2011234264.tif 000020
【図１０】
2011234264.tif 000021
【図１１】
2011234264.tif 000022
【図１２】
2011234264.tif 000023
【図１３】
2011234264.tif 000024
【図１４】
2011234264.tif 000025
【図１５】
2011234264.tif 000026
【図１６】
2011234264.tif 000027
【図１７】
2011234264.tif 000028
【図１８】
2011234264.tif 000029
【図１９】
2011234264.tif 000030
【図２１】
2011234264.tif 000031
【図２４】
2011234264.tif 000032
【図２５】
2011234264.tif 000033
【図２６】
2011234264.tif 000034
【図２９】
2011234264.tif 000035
【図３０】
2011234264.tif 000036
【図３２】
2011234264.tif 000037
【図３３】
2011234264.tif 000038
【図３５】
2011234264.tif 000039
【図３６】
2011234264.tif 000040
【図３８】
2011234264.tif 000041